(57)【要約】信号バースト、信号設計、および／またはシステムフレーム獲得を同期させるためのシステム、手順、および手段が、開示される。同期信号（ＳＳ）ブロックまたはバーストが受信されることがある。ＳＳブロックまたはバーストは、プライマリ同期信号（ＰＳＳ）、セカンダリ同期信号（ＳＳＳ）、および／または物理ブロードキャストチャネル（ＰＢＣＨ）を含んでよい。第１のセルＩＤが決定されることがあり、および／または複数のＳＳＳ系列が生成されることがある。ｍ０値（たとえば、第１の循環シフト）は、たとえば、生成された複数のＳＳＳ系列に基づいて、ｍ０値のセットから決定されてよい。ｎ１値（たとえば、第２の循環シフト）は、ｎ１値のセットから決定されてよい。第２のセルＩＤは、たとえば、ｍ０値およびｎ１値に基づいて、決定されてよい。第３のセルＩＤは、たとえば、第２のセルＩＤおよび第１のセルＩＤに基づいて、決定されてよい。
2020511029.tif 000002
【特許請求の範囲】
【請求項１】
プライマリ同期信号（ＰＳＳ）と、セカンダリ同期信号（ＳＳＳ）と、物理ブロードキャストチャネル（ＰＢＣＨ）とを備える同期信号（ＳＳ）ブロックまたはバーストを送信し、
前記ＰＳＳによって搬送される第１のセルＩＤを決定し、
複数のＳＳＳ系列を生成し、
前記生成された複数のＳＳＳ系列に基づいて、ｍ０値のセットからｍ０値を決定し、
ｎ１値のセットからｎ１値を決定し、
前記ｍ０値および前記ｎ１値に基づいて、前記ＳＳＳによって搬送される第２のセルＩＤを決定し、
前記ＳＳＳによって搬送された前記第２のセルＩＤおよび前記ＰＳＳによって搬送された前記第１のセルＩＤに基づいて、第３のセルＩＤを決定する
ように構成されたプロセッサ
を備えるＷＴＲＵ。
【請求項２】
前記プロセッサは、
スクランブリング符号に基づいて、システムフレーム番号（ＳＦＮ）の第１の部分を決定し、
前記ＳＳブロックまたはバースト内で獲得される前記ＳＦＮの前記第１の部分と前記ＳＦＮの第２の部分が同じであることに基づいて、ＳＦＮ全体を決定する
ようにさらに構成される請求項１に記載のＷＴＲＵ。
【請求項３】
前記スクランブリング符号は、前記第３のセルＩＤに少なくとも部分的に基づく請求項２に記載のＷＴＲＵ。
【請求項４】
前記複数のＳＳＳ系列は、３３６のＳＳＳ系列を含む請求項１に記載のＷＴＲＵ。
【請求項５】
前記複数のＳＳＳ系列は、第１のＭ系列と第２のＭ系列がｘｏｒ演算されたことに基づいて生成される請求項１に記載のＷＴＲＵ。
【請求項６】
前記第１のＭ系列は、第１の多項式に基づいて決定され、前記第２のＭ系列は、第２の多項式に基づいて決定される請求項５に記載のＷＴＲＵ。
【請求項７】
前記第１の多項式と前記第２の多項式は同じ次数を有する請求項６に記載のＷＴＲＵ。
【請求項８】
前記ｍ０値は第１の循環シフトであり、前記ｎ１値は第２の循環シフトである請求項１に記載のＷＴＲＵ。
【請求項９】
前記ｍ０値のセットは１１２の値を含み、前記ｎ１値のセットは３つの値を含む請求項１に記載のＷＴＲＵ。
【請求項１０】
プライマリ同期信号（ＰＳＳ）と、セカンダリ同期信号（ＳＳＳ）と、物理ブロードキャストチャネル（ＰＢＣＨ）とを備える同期信号（ＳＳ）ブロックまたはバーストを送信するステップと、
前記ＰＳＳによって搬送される第１のセルＩＤを決定するステップと、
複数のＳＳＳ系列を生成するステップと、
前記生成された複数のＳＳＳ系列に基づいて、ｍ０値のセットからｍ０値を決定するステップと、
ｎ１値のセットからｎ１値を決定するステップと、
前記ｍ０値および前記ｎ１値に基づいて、前記ＳＳＳによって搬送される第２のセルＩＤを決定するステップと、
前記ＳＳＳによって搬送された前記第２のセルＩＤおよび前記ＰＳＳによって搬送された前記第１のセルＩＤに基づいて、第３のセルＩＤを決定するステップと
を含む方法。
【請求項１１】
スクランブリング符号に基づいて、システムフレーム番号（ＳＦＮ）の第１の部分を決定するステップと、
前記ＳＳブロックまたはバースト内で獲得される前記ＳＦＮの前記第１の部分と前記ＳＦＮの第２の部分が同じであることに基づいて、ＳＦＮ全体を決定するステップと
をさらに含む請求項１０に記載の方法。
【請求項１２】
前記スクランブリング符号は、前記第３のセルＩＤに少なくとも部分的に基づく請求項１１に記載の方法。
【請求項１３】
前記複数のＳＳＳ系列は、第１のＭ系列と第２のＭ系列がｘｏｒ演算されたことに基づいて生成される請求項１０に記載の方法。
【請求項１４】
前記第１のＭ系列は、第１の多項式に基づいて決定され、前記第２のＭ系列は、第２の多項式に基づいて決定される請求項１３に記載の方法。
【請求項１５】
前記ｍ０値は第１の循環シフトであり、前記ｎ１値は第２の循環シフトである請求項１０に記載の方法。
【発明の詳細な説明】
【技術分野】
【０００１】
本発明は、ＮＥＷ  ＲＡＤＩＯにおける同期信号バースト、信号設計、およびシステムフレーム獲得に関する。
【背景技術】
【０００２】
相互参照
本出願は、完全に記載されているかのように参照によって本明細書に組み込まれている、２０１７年２月３日に出願された米国仮特許出願第６２／４５４，５２４号、２０１７年５月３日に出願された米国仮特許出願第６２／５００，７５２号、２０１７年６月１４日に出願された米国仮特許出願第６２／５１９，７４５号、および２０１７年９月８日に出願された米国仮特許出願第６２／５５６，１７１号の利益を主張するものである。
【０００３】
台頭しつつある５Ｇシステムのための使用事例の幅広い分類は、Ｅｎｈａｎｃｅｄ  Ｍｏｂｉｌｅ  Ｂｒｏａｄｂａｎｄ（ｅＭＢＢ）、Ｍａｓｓｉｖｅ  Ｍａｃｈｉｎｅ  Ｔｙｐｅ  Ｃｏｍｍｕｎｉｃａｔｉｏｎｓ（ｍＭＴＣ）、およびＵｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎｓ（ＵＲＬＬＣ）と表すことができる。使用事例の幅広い分類は、ＩＴＵ−Ｒ、ＮＧＭＮ、および３ＧＰＰによって記載される要件に基づくことができる。使用事例は、より高いデータレート、より高いスペクトル効率、低電力、より高いエネルギー効率、より低いレイテンシ、およびより高い信頼性などの１つまたは複数の要件に焦点を当てることがある。７００ＭＨｚから８０ＧＨｚに及ぶ広範囲のスペクトル帯域は、さまざまな展開シナリオのために考慮されてよい。
【発明の概要】
【課題を解決するための手段】
【０００４】
ｎｅｗ  ｒａｄｉｏ（ＮＲ）において信号バースト、信号設計、および／またはシステムフレーム獲得を同期させるためのシステム、手順、および手段が、開示される。同期信号（ＳＳ）ブロックは、ＳＳバーストに基づいて定義されてよく、ＳＳバーストのうちの１つまたは複数は、ＳＳバーストセットを定義してよい。アクティブ化されることになる、有効にされることになる、または送信されることになるＳＳブロックが、決定されることがある。アクティブ化されることになる、有効にされることになる、または送信されることになるＳＳブロックの情報は、別のエンティティに提供される。アクティブ化されることになる、有効にされることになる、または送信されることになるＳＳブロックに基づいて、ＯＦＤＭシンボルインデックス、無線フレーム内のスロットインデックス、無線フレーム番号、および／またはミニスロットインデックスが、識別されてよい。疑似的に同じ場所に設置される（ＱＣＬ）インジケーションおよび／またはレートマッチングインジケーションが提供されることがある（たとえば、ＳＳブロックに提供されることがある）。
【０００５】
同期信号（ＳＳ）バーストが受信されることがある。ＳＳバーストは、プライマリ同期信号（ＰＳＳ）、セカンダリ同期信号（ＳＳＳ）、および／または物理ブロードキャストチャネル（ＰＢＣＨ）を含んでよい。ＰＳＳによって（たとえば、その中で）搬送される第１のセルＩＤが、決定されてよい。複数のＳＳＳ系列は、たとえば、第１のＭ系列および第２のＭ系列に基づいて、生成されてよい。ｍ０値（たとえば、第１の循環シフト）は、たとえば、生成された複数のＳＳＳ系列に基づいて、ｍ０値のセット（たとえば、循環シフトの第１のセット）から決定されてよい。ｎ１値（たとえば、第２の循環シフト）は、ｎ１値のセット（たとえば、循環シフトの第２のセット）から決定されてよい。ＳＳＳによって（たとえば、その中で）搬送された第２のセルＩＤは、たとえば、ｍ０値およびｎ１値に基づいて、決定されてよい。第３のセルＩＤは、たとえば、ＳＳＳによって搬送された第２のセルＩＤおよびＰＳＳによって搬送された第１のセルＩＤに基づいて、決定されてよい。
【０００６】
システムフレーム番号（ＳＦＮ）の一部分は、スクランブリング符号に基づいて決定されてよい。スクランブリング符号は、第３のセルＩＤに基づいてよい。ＳＦＮの一部分（たとえば、別の部分）が、ＳＳバースト内で獲得されてよい。ＳＦＮ（たとえば、ＳＦＮ全体）は、たとえば、ＳＦＮの決定された部分とＳＳバースト内で獲得されたＳＦＮの部分が同じであることに基づいて、決定されてよい。
【図面の簡単な説明】
【０００７】
より詳細な理解は、添付の図面に関連する例として与えられる、以下の説明から得られる。
【０００８】
【図１Ａ】１つまたは複数の開示される実施形態が実施できる例示的な通信システムを例示するシステム図である。
【図１Ｂ】実施形態による、図１Ａにおいて例示される通信システム内で使用することができる例示的なワイヤレス送信／受信ユニット（ＷＴＲＵ）を例示するシステム図である。
【図１Ｃ】実施形態による、図１Ａにおいて例示される通信システム内で使用することができる例示的な無線アクセスネットワーク（ＲＡＮ）および例示的なコアネットワーク（ＣＮ）を例示するシステム図である。
【図１Ｄ】実施形態による、図１Ａにおいて例示される通信システム内で使用することができるさらなる例示的なＲＡＮおよびさらなる例示的なＣＮを例示するシステム図である。
【図２】例示的な同期信号（ＳＳ）バーストセット構成および構造を示す図である。
【図３】別の例示的なＳＳバーストセット構成および構造を示す図である。
【図４】別の例示的なＳＳバーストセット構成および構造を示す図である。
【図５】例示的なシステムフレーム番号獲得を示すフローチャートである。
【図６】別の例示的なシステムフレーム番号獲得を示すフローチャートである。
【図７】例示的な多段階システムフレーム番号獲得（３段階）を示すフローチャートである。
【図８】例示的な多段階システムフレーム番号獲得（４段階）を示すフローチャートである。
【図９】別の例示的な多段階システムフレーム番号獲得を示すフローチャートである。
【図１０】システムフレーム番号（ＳＦＮ）の最上位ビット（ＭＳＢ）および複数の最下位ビット（ＬＳＢ）を検出し、復号化し、連結して、および組み合わせることによる例示的なＳＦＮ獲得を示す図である。
【図１１】ＳＦＮの複数のパートを検出し、復号化し、連結して、および組み合わせることによる例示的なＳＦＮ獲得を示す図である。
【図１２】確認１を用いた、例示的なシステムフレーム番号獲得を示すフローチャートである。
【図１３】確認２を用いた、例示的なシステムフレーム番号獲得を示すフローチャートである。
【図１３Ａ】周期性適応を用いた、システムフレーム獲得のための例示的なフローを示すフローチャートである。
【図１３Ｂ】周期性適応を用いた、システムフレーム獲得のための例示的なフローを示すフローチャートである。
【図１４】ＺＣ２５５系列のための例示的なスイーピングルート（sweeping root）を示すグラフである。
【図１５】ＺＣ１２７系列のための例示的なスイーピングルートを示すグラフである。
【図１６】例示的なＳＳ系列を示す図である。
【図１７】別の例示的なＳＳ系列を示す図である。
【図１８】別の例示的なＳＳ系列を示す図である。
【図１９】例示的なｎｅｗ  ｒａｄｉｏ（ＮＲ）−セカンダリ同期信号（ＳＳＳ）系列設計を示す図である。
【図２０】同期信号（ＳＳ）ブロックのための例示的な疑似的に同じ場所に設置される（ＱＣＬ）インジケーションを示す図である。
【図２１】ＳＳブロックのための別の例示的なＱＣＬインジケーションを示す図である。
【発明を実施するための形態】
【０００９】
次に、例示的な実施形態の詳細な説明が、さまざまな図を参照しながら説明される。本明細書は、可能な実装形態の詳細な例を提供するが、詳細は、例示的なものであり、決して本出願の範囲を制限することを意図したものではないことが留意されるべきである。
【００１０】
図１Ａは、１つまたは複数の開示される実施形態が実施できる例示的な通信システム１００を例示する図である。通信システム１００は、音声、データ、ビデオ、メッセージ、ブロードキャストなどのコンテンツを複数のワイヤレスユーザに提供する多重アクセスシステムである。通信システム１００は、複数のワイヤレスユーザが、ワイヤレス帯域幅を含むシステムリソースの共有を通じて、そのようなコンテンツにアクセスすることを可能にすることができる。たとえば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）などの１つまたは複数のチャネルアクセス方法を用いることができる。
【００１１】
図１Ａに示されるように、通信システム１００は、ワイヤレス送信／受信ユニット（ＷＴＲＵ）１０２ａと、１０２ｂと、１０２ｃと、１０２ｄと、ＲＡＮ１０４／１１３と、ＣＮ１０６／１１５と、公衆交換電話網（ＰＳＴＮ）１０８と、インターネット１１０と、他のネットワーク１１２とを含んでよいが、開示される実施形態は、任意の数のＷＴＲＵ、基地局、ネットワーク、および／またはネットワーク要素を企図することが諒解されるであろう。ＷＴＲＵ１０２ａ、１０２ｂ、１０２ｃ、１０２ｄの各々は、ワイヤレス環境において動作および／または通信するように構成された任意のタイプのデバイスであってよい。例として、そのいずれも「局」および／または「ＳＴＡ」と呼ばれることがあるＷＴＲＵ１０２ａ、１０２ｂ、１０２ｃ、１０２ｄは、ワイヤレス信号を送信および／または受信するように構成されてよく、ユーザ機器（ＵＥ）、移動局、固定加入者ユニットまたはモバイル加入者ユニット、サブスクリプションベースのユニット、ページャ、セルラー式電話、携帯情報端末（ＰＤＡ）、スマートフォン、ラップトップ、ネットブック、パーソナルコンピュータ、ワイヤレスセンサ、ホットスポットデバイスまたはＭｉ−Ｆｉデバイス、モノのインターネット（ＩｏＴ）デバイス、腕時計または他のウェアラブル、ヘッドマウントディスプレイ（ＨＭＤ）、車両、ドローン、医療デバイスおよび適用例（たとえば、遠隔手術）、産業用デバイスおよび適用例（たとえば、産業用および／または自動処理チェーンコンテキストにおいて動作するロボットおよび／または他のワイヤレスデバイス）、家電デバイス、商業および／または産業ワイヤレスネットワーク上で動作するデバイスなどを含むことができる。ＷＴＲＵ１０２ａ、１０２ｂ、１０２ｃ、および１０２ｄのいずれも、ＵＥと互換的に呼ばれることがある。
【００１２】
通信システム１００は、基地局１１４ａおよび／または基地局１１４ｂも含むことがある。基地局１１４ａ、１１４ｂの各々は、ＣＮ１０６／１１５、インターネット１１０、および／または他のネットワーク１１２などの１つまたは複数の通信ネットワークへのアクセスを容易にするためにＷＴＲＵ１０２ａ、１０２ｂ、１０２ｃ、１０２ｄのうちの少なくとも１つとワイヤレスでインタフェースするように構成された任意のタイプのデバイスであってよい。例として、基地局１１４ａ、１１４ｂは、基地トランシーバ局（ＢＴＳ）、ノードＢ、ｅＮｏｄｅ  Ｂ、ホームノードＢ、ホームｅＮｏｄｅ  Ｂ、ｇＮＢ、ＮＲ  ＮｏｄｅＢ、サイトコントローラ、アクセスポイント（ＡＰ）、ワイヤレスルータなどであってよい。基地局１１４ａ、１１４ｂは各々、単一の要素として表されるが、基地局１１４ａ、１１４ｂは、任意の数の相互接続された基地局および／またはネットワーク要素を含んでよいことが諒解されるであろう。
【００１３】
基地局１１４ａはＲＡＮ１０４／１１３の一部であってよく、ＲＡＮ１０４／１１３は、基地局コントローラ（ＢＳＣ）、無線ネットワークコントローラ（ＲＮＣ）、中継ノードなどの、他の基地局および／またはネットワーク要素（図示せず）を含んでよい。基地局１１４ａおよび／または基地局１１４ｂは、セル（図示せず）と呼ばれることがある１つまたは複数のキャリア周波数上で、ワイヤレス信号を送信および／または受信するように構成されてよい。これらの周波数は、ライセンススペクトル内にあってもよいし、アンライセンススペクトル内にあってもよいし、ライセンススペクトルとアンライセンススペクトルの組合せの中にあってもよい。セルは、比較的固定されてもよいし経時的に変化してもよい特定の地理的エリアに、ワイヤレスサービスのためのカバレッジを提供することができる。セルは、セルセクタにさらに分割できる。たとえば、基地局１１４ａと関連づけられたセルは、３つのセクタに分割できる。したがって、一実施形態では、基地局１１４ａは、３つのトランシーバ、すなわち、セルの各セクタに対して１つのトランシーバを含むことがある。実施形態では、基地局１１４ａは、多入力多出力（ＭＩＭＯ）技術を用いてよく、セルの各セクタに対して複数のトランシーバを利用してよい。たとえば、ビームフォーミングは、所望の空間的な方向において信号を送信および／または受信するために使用されることがある。
【００１４】
基地局１１４ａ、１１４ｂは、エアインタフェース１１６上でＷＴＲＵ１０２ａ、１０２ｂ、１０２ｃ、１０２ｄのうちの１つまたは複数と通信でき、エアインタフェース１１６は、任意の適切なワイヤレス通信リンク（たとえば、無線周波数（ＲＦ）、マイクロ波、センチメートル波、マイクロメートル波、赤外線（ＩＲ）、紫外線（ＵＶ）、可視光など）であってよい。エアインタフェース１１６は、任意の適切な無線アクセス技術（ＲＡＴ）を使用して確立されてよい。
【００１５】
より具体的には、上記で述べられたように、通信システム１００は、多重アクセスシステムであってよく、ＣＤＭＡ、ＴＤＭＡ、ＦＤＭＡ、ＯＦＤＭＡ、ＳＣ−ＦＤＭＡなどの１つまたは複数のチャネルアクセス方式を用いてよい。たとえば、ＲＡＮ１０４／１１３内の基地局１１４ａおよびＷＴＲＵ１０２ａ、１０２ｂ、１０２ｃは、広帯域ＣＤＭＡ（ＷＣＤＭＡ）を使用してエアインタフェース１１５／１１６／１１７を確立することができる、ユニバーサル移動体通信システム（ＵＭＴＳ）地上無線アクセス（ＵＴＲＡ）などの無線技術を実施してよい。ＷＣＤＭＡは、高速パケットアクセス（ＨＳＰＡ）および／または発展型ＨＳＰＡ（ＨＳＰＡ＋）などの通信プロトコルを含んでよい。ＨＳＰＡは、高速ダウンリンク（ＤＬ）パケットアクセス（ＨＳＤＰＡ）および／または高速ＵＬパケットアクセス（ＨＳＵＰＡ）を含んでよい。
【００１６】
実施形態では、基地局１１４ａおよびＷＴＲＵ１０２ａ、１０２ｂ、１０２ｃは、ロングタームエボリューション（ＬＴＥ）および／またはＬＴＥ−Ａｄｖａｎｃｅｄ（ＬＴＥ−Ａ）および／またはＬＴＥ−Ａｄｖａｎｃｅｄ  Ｐｒｏ（ＬＴＥ−Ｐｒｏ）を使用してエアインタフェース１１６を確立することができる、発展型ＵＭＴＳ地上無線アクセス（Ｅ−ＵＴＲＡ）などの無線技術を実施することがある。
【００１７】
実施形態では、基地局１１４ａおよびＷＴＲＵ１０２ａ、１０２ｂ、１０２ｃは、Ｎｅｗ  Ｒａｄｉｏ（ＮＲ）を使用してエアインタフェース１１６を確立することができる、ＮＲ無線アクセスなどの無線技術を実施してよい。
【００１８】
実施形態では、基地局１１４ａおよびＷＴＲＵ１０２ａ、１０２ｂ、１０２ｃは、多重無線アクセス技術を実施してよい。たとえば、基地局１１４ａおよびＷＴＲＵ１０２ａ、１０２ｂ、１０２ｃは、たとえば、デュアルコネクティビティ（ＤＣ）原則を使用して、ＬＴＥ無線アクセスとＮＲ無線アクセスを一緒に実施してよい。したがって、ＷＴＲＵ１０２ａ、１０２ｂ、１０２ｃによって利用されるエアインタフェースは、複数のタイプの無線アクセス技術および／または複数のタイプの基地局（たとえば、ｅＮＢおよびｇＮＢ）に／から送信される送信によって特徴づけされてよい。
【００１９】
他の実施形態では、基地局１１４ａおよびＷＴＲＵ１０２ａ、１０２ｂ、１０２ｃは、ＩＥＥＥ８０２．１１（すなわち、ワイヤレスフィデリティ（ＷｉＦｉ）、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００１Ｘ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）などの無線技術を実施することがある。
【００２０】
図１Ａにおける基地局１１４ｂは、たとえば、ワイヤレスルータ、ホームノードＢ、ホームｅＮｏｄｅ  Ｂ、またはアクセスポイントであってよく、営業所、自宅、車両、キャンパス、産業施設、空中回廊（たとえば、ドローンによって使用されるための）、車道などの局所的なエリア内のワイヤレスコネクティビティを容易にするための任意の適切なＲＡＴを利用してよい。一実施形態では、基地局１１４ｂおよびＷＴＲＵ１０２ｃ、１０２ｄは、ワイヤレスローカルエリアネットワーク（ＷＬＡＮ）を確立するために、ＩＥＥＥ８０２．１１などの無線技術を実施することがある。実施形態では、基地局１１４ｂおよびＷＴＲＵ１０２ｃ、１０２ｄは、ワイヤレスパーソナルエリアネットワーク（ＷＰＡＮ）を確立するために、ＩＥＥＥ８０２．１５などの無線技術を実施することがある。さらに別の実施形態では、基地局１１４ｂおよびＷＴＲＵ１０２ｃ、１０２ｄは、セルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することがある。図１Ａに示されるように、基地局１１４ｂは、インターネット１１０への直接接続を有することがある。したがって、基地局１１４ｂは、ＣＮ１０６／１１５を介してインターネット１１０にアクセスすることが必要とされないことがある。
【００２１】
ＲＡＮ１０４／１１３は、ＣＮ１０６／１１５と通信することがあり、ＣＮ１０６／１１５は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成された任意のタイプのネットワークであってよい。データは、異なるスループット要件、レイテンシ要件、誤差許容差要件、信頼性要件、データスループット要件、モビリティ要件などの変化するサービス品質（ＱｏＳ）要件を有してよい。ＣＮ１０６／１１５は、呼制御、課金サービス、モバイルロケーションベースのサービス、プリペイドコーリング、インターネットコネクティビティ、ビデオ配信を提供する、および／またはユーザ認証などの高レベルセキュリティ機能を実行することがある。図１Ａには図示されていないが、ＲＡＮ１０４／１１３および／またはＣＮ１０６／１１５は、ＲＡＮ１０４／１１３と同じＲＡＴまたは異なるＲＡＴを用いる他のＲＡＮと直接的または間接的に通信してよいことが諒解されるであろう。たとえば、ＮＲ無線技術を利用することがあるＲＡＮ１０４／１１３に接続されることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を用いる別のＲＡＮ（図示せず）とも通信することがある。
【００２２】
ＣＮ１０６／１１５は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くこともある。ＰＳＴＮ１０８は、簡易電話サービス（ＰＯＴＳ）を提供する回線交換電話網を含むことがある。インターネット１１０は、ＴＣＰ／ＩＰインターネットプロトコルスイートにおける伝送制御プロトコル（ＴＣＰ）、ユーザデータグラムプロトコル（ＵＤＰ）、および／またはインターネットプロトコル（ＩＰ）などの一般的な通信プロトコルを使用する、相互接続されたコンピュータネットワークおよびデバイスの世界的システムを含むことがある。ネットワーク１１２は、他のサービスプロバイダによって所有および／または運用されるワイヤード通信ネットワークおよび／またはワイヤレス通信ネットワークを含んでよい。たとえば、ネットワーク１１２は、１つまたは複数のＲＡＮに接続された別のＣＮを含んでよく、このＲＡＮは、ＲＡＮ１０４／１１３と同じＲＡＴを用いてもよいし、異なるＲＡＴを用いてもよい。
【００２３】
通信システム１００内のＷＴＲＵ１０２ａ、１０２ｂ、１０２ｃ、１０２ｄのうちのいくつかまたはすべては、マルチモード能力を含んでよい（たとえば、ＷＴＲＵ１０２ａ、１０２ｂ、１０２ｃ、１０２ｄは、異なるワイヤレスリンク上で異なるワイヤレスネットワークと通信するための複数のトランシーバを含んでよい）。たとえば、図１Ａに示されるＷＴＲＵ１０２ｃは、セルラーベースの無線技術を用いることがある基地局１１４ａと、およびＩＥＥＥ８０２無線技術を用いることがある基地局１１４ｂと通信するように構成されることがある。
【００２４】
図１Ｂは、例示的なＷＴＲＵ１０２を例示するシステム図である。図１Ｂに示されるように、ＷＴＲＵ１０２は、とりわけ、プロセッサ１１８、トランシーバ１２０、送信／受信要素１２２、スピーカ／マイクロホン１２４、キーパッド１２６、ディスプレイ／タッチパッド１２８、ノンリムーバブルメモリ１３０、リムーバブルメモリ１３２、電源１３４、全地球測位システム（ＧＰＳ）チップセット１３６、および／または他の周辺機器１３８を含むことがある。ＷＴＲＵ１０２は、実施形態に一致したままでありながら、前述の要素の任意の副組合せを含むことがあることが諒解されるであろう。
【００２５】
プロセッサ１１８は、汎用プロセッサ、特殊目的プロセッサ、従来のプロセッサ、デジタルシグナルプロセッサ（ＤＳＰ）、複数のマイクロプロセッサ、ＤＳＰコアに関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、状態機械などであってよい。プロセッサ１１８は、信号符号化、データ処理、電力制御、入力／出力処理、および／またはＷＴＲＵ１０２がワイヤレス環境内で動作することを可能にする他の任意の機能性を実行することができる。プロセッサ１１８は、トランシーバ１２０に結合されてよく、トランシーバ１２０は、送信／受信要素１２２に結合されてよい。図１Ｂは、プロセッサ１１８およびトランシーバ１２０を別個の構成要素として表しているが、プロセッサ１１８とトランシーバ１２０は、電子パッケージまたはチップ内に一緒に組み込まれてよいことが諒解されるであろう。
【００２６】
送信／受信要素１２２は、エアインタフェース１１６上で基地局（たとえば、基地局１１４ａ）に信号を送信する、またはこれから信号を受信するように構成されることがある。たとえば、一実施形態では、送信／受信要素１２２は、ＲＦ信号を送信および／または受信するように構成されたアンテナであってよい。実施形態では、送信／受信要素１２２は、たとえば、ＩＲ信号、ＵＶ信号、または可視光信号を送信および／または受信するように構成されたエミッタ／検出器であってよい。さらに別の実施形態では、送信／受信要素１２２は、ＲＦ信号と光信号の両方を送信および／または受信するように構成されることがある。送信／受信要素１２２は、ワイヤレス信号の任意の組合せを送信および／または受信するように構成されることがあることが諒解されるであろう。
【００２７】
送信／受信要素１２２は、図１Ｂでは単一の要素として表されているが、ＷＴＲＵ１０２は、任意の数の送信／受信要素１２２を含んでよい。より具体的には、ＷＴＲＵ１０２は、ＭＩＭＯ技術を用いてよい。したがって、一実施形態では、ＷＴＲＵ１０２は、エアインタフェース１１６上でワイヤレス信号を送信および受信するための２つ以上の送信／受信要素１２２（たとえば、複数のアンテナ）を含んでよい。
【００２８】
トランシーバ１２０は、送信／受信要素１２２によって送信されることになり、送信／受信要素１２２によって受信される信号を復調することになる信号を変調するように構成されることがある。上記で述べられたように、ＷＴＲＵ１０２は、マルチモード能力を有することがある。したがって、トランシーバ１２０は、たとえば、ＷＴＲＵ１０２がＮＲおよびＩＥＥＥ８０２．１１などの複数のＲＡＴを介して通信することを可能にするための複数のトランシーバを含むことがある。
【００２９】
ＷＴＲＵ１０２のプロセッサ１１８は、スピーカ／マイクロホン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合でき、これらからユーザ入力データを受信することができる。プロセッサ１１８は、スピーカ／マイクロホン１２４、キーパッド１２６、および／またはディスプレイ／タッチパッド１２８にユーザデータを出力することもできる。加えて、プロセッサ１１８は、ノンリムーバブルメモリ１３０および／またはリムーバブルメモリ１３２などの任意のタイプの適切なメモリからの情報にアクセスし、これらの中にデータを記憶することができる。ノンリムーバブルメモリ１３０は、ランダムアクセスメモリ（ＲＡＭ）、読み出し専用メモリ（ＲＯＭ）、ハードディスク、または他の任意のタイプのメモリ記憶デバイスを含んでよい。リムーバブルメモリ１３２は、加入者識別モジュール（ＳＩＭ）カード、メモリスティック、セキュアデジタル（ＳＤ）メモリカードなどを含んでよい。他の実施形態では、プロセッサ１１８は、サーバまたはホームコンピュータ（図示せず）上などのＷＴＲＵ１０２上に物理的に設置されないメモリからの情報にアクセスし、これらの中にデータを記憶することができる。
【００３０】
プロセッサ１１８は、電源１３４から電力を受信することがあり、ＷＴＲＵ１０２内の他の構成要素に電力を分配および／または制御するように構成されることがある。電源１３４は、ＷＴＲＵ１０２に給電するための任意の適切なデバイスであってよい。たとえば、電源１３４は、１つまたは複数の乾電池バッテリ（たとえば、ニッケル−カドミウム（ＮｉＣｄ）、ニッケル−亜鉛（ＮｉＺｎ）、ニッケル水素（ＮｉＭＨ）、リチウムイオン（Ｌｉイオン）など）、太陽電池、燃料電池などを含むことがある。
【００３１】
プロセッサ１１８はまた、ＧＰＳチップセット１３６に結合されることがあり、ＧＰＳチップセット１３６は、ＷＴＲＵ１０２の現在のロケーションに関するロケーション情報（たとえば、経度および緯度）を提供するように構成されることがある。ＧＰＳチップセット１３６からの情報に加えて、またはこの代わりに、ＷＴＲＵ１０２は、基地局（たとえば、基地局１１４ａ、１１４ｂ）からエアインタフェース１１６上でロケーション情報を受信する、および／または信号が２つ以上の近くの基地局から受信されているタイミングに基づいて、そのロケーションを決定することがある。ＷＴＲＵ１０２が、実施形態に一致したままでありながら、任意の適切なロケーション決定方法によってロケーション情報を獲得することができることが諒解されるであろう。
【００３２】
プロセッサ１１８は、他の周辺機器１３８にさらに結合されることがあり、他の周辺機器１３８は、追加の特徴、機能性、および／またはワイヤードコネクティビティもしくはワイヤレスコネクティビティを提供する１つまたは複数のソフトウェアモジュールおよび／またはハードウェアモジュールを含んでよい。たとえば、周辺機器１３８は、加速度計、電子コンパス、衛星トランシーバ、デジタルカメラ（写真および／またはビデオのための）、ユニバーサルシリアルバス（ＵＳＢ）ポート、振動デバイス、テレビジョントランシーバ、ハンズフリーヘッドセット、ブルートゥース（登録商標）モジュール、周波数変調（ＦＭ）無線ユニット、デジタル音楽プレーヤ、メディアプレーヤ、ビデオゲームプレーヤモジュール、インターネットブラウザ、仮想現実および／または拡張現実（ＶＲ／ＡＲ）デバイス、アクティビティトラッカーなどを含んでよい。周辺機器１３８は１つまたは複数のセンサを含むことがあり、センサは、ジャイロスコープ、加速度計、ホール効果センサ、磁力計、方位センサ、近接センサ、温度センサ、時間センサ；ジオロケーションセンサ；高度計、光センサ、タッチセンサ、磁力計、気圧計、姿勢センサ、バイオメトリックセンサ、および／または湿度センサのうちの１つまたは複数であってよい。
【００３３】
ＷＴＲＵ１０２は、信号（たとえば、ＵＬ（たとえば、送信のため）とダウンリンク（たとえば、受信のため）の両方のための特定のサブフレームと関連づけられた）のいくつかまたはすべての送信および受信が並列および／または同時であってよい全二重無線を含むことがある。全二重無線は、ハードウェア（たとえば、チョーク）またはプロセッサ（たとえば、別個のプロセッサ（図示せず）、またはプロセッサ１１８を介した）を介した信号処理のどちらかを介した自己干渉を減少およびまたは実質的になくす干渉管理ユニット１３９を含むことがある。実施形態では、ＷＴＲＵ１０２は、信号（たとえば、ＵＬ（たとえば、送信のため）とダウンリンク（たとえば、受信のため）の両方のための特定のサブフレームと関連づけられた）のいくつかまたはすべての送信および受信のための半二重無線を含むことがある。
【００３４】
図１Ｃは、実施形態によるＲＡＮ１０４およびＣＮ１０６を例示するシステム図である。上記で述べられたように、ＲＡＮ１０４は、Ｅ−ＵＴＲＡ無線技術を用いて、エアインタフェース１１６上でＷＴＲＵ１０２ａ、１０２ｂ、１０２ｃと通信することがある。ＲＡＮ１０４は、ＣＮ１０６とも通信することがある。
【００３５】
ＲＡＮ１０４は、ｅＮｏｄｅ−Ｂ１６０ａ、１６０ｂ、１６０ｃを含むことがあるが、ＲＡＮ１０４は、実施形態に一致したままでありながら、任意の数のｅＮｏｄｅ−Ｂを含んでよいことが諒解されるであろう。ｅＮｏｄｅ−Ｂ１６０ａ、１６０ｂ、１６０ｃは各々、エアインタフェース１１６上でＷＴＲＵ１０２ａ、１０２ｂ、１０２ｃと通信するための１つまたは複数のトランシーバを含むことがある。一実施形態では、ｅＮｏｄｅ−Ｂ１６０ａ、１６０ｂ、１６０ｃは、ＭＩＭＯ技術を実施することがある。したがって、ｅＮｏｄｅ−Ｂ１６０ａは、たとえば、複数のアンテナを使用して、ＷＴＲＵ１０２ａにワイヤレス信号を送信する、および／またはこれからワイヤレス信号を受信することがある。
【００３６】
ｅＮｏｄｅ−Ｂ１６０ａ、１６０ｂ、１６０ｃの各々は、特定のセル（図示せず）と関連づけられることがあり、無線リソース管理判断、ハンドオーバ判断、ＵＬおよび／またはＤＬにおけるユーザのスケジューリングなどを取り扱うように構成されることがある。図１Ｃに示されるように、ｅＮｏｄｅ−Ｂ１６０ａ、１６０ｂ、１６０ｃは、Ｘ２インタフェース上で互いと通信することがある。
【００３７】
図１Ｃに示されるＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含むことがある。前述の要素の各々は、ＣＮ１０６の一部として表されているが、これらの要素のいずれも、ＣＮ運用業者以外のエンティティによって所有および／または運用されてよいことが諒解されるであろう。
【００３８】
ＭＭＥ１６２は、Ｓ１インタフェースを介してＲＡＮ１０４内のｅＮｏｄｅ−Ｂ１６２ａ、１６２ｂ、１６２ｃの各々に接続されることがあり、制御ノードとして働くことがある。たとえば、ＭＭＥ１６２は、ＷＴＲＵ１０２ａ、１０２ｂ、１０２ｃのユーザを認証すること、ベアラアクティベーション／ディアクティベーション、ＷＴＲＵ１０２ａ、１０２ｂ、１０２ｃの初期アタッチ中に特定のサービングゲートウェイを選択することなどを担当することがある。ＭＭＥ１６２は、ＲＡＮ１０４と、ＧＳＭおよび／またはＷＣＤＭＡなどの他の無線技術を用いる他のＲＡＮ（図示せず）を切り換えるための制御プレーン機能を提供することがある。
【００３９】
ＳＧＷ１６４は、Ｓ１インタフェースを介してＲＡＮ１０４内のｅＮｏｄｅ  Ｂ１６０ａ、１６０ｂ、１６０ｃの各々に接続されることがある。ＳＧＷ１６４は、一般に、ＷＴＲＵ１０２ａ、１０２ｂ、１０２ｃに／からのユーザデータパケットをルーティングおよび転送することがある。ＳＧＷ１６４は、ｅＮｏｄｅ  Ｂ間ハンドオーバ中にユーザプレーンをアンカリングすること、ＤＬデータがＷＴＲＵ１０２ａ、１０２ｂ、１０２ｃのために利用可能であるときにページをトリガすること、ＷＴＲＵ１０２ａ、１０２ｂ、１０２ｃのコンテキストを管理および記憶することなどの他の機能を実行することがある。
【００４０】
ＳＧＷ１６４は、ＰＧＷ１６６に接続されることがあり、ＰＧＷ１６６は、ＷＴＲＵ１０２ａ、１０２ｂ、１０２ｃとＩＰ対応デバイスとの間の通信を容易にするために、インターネット１１０などのパケット交換網へのアクセスをＷＴＲＵ１０２ａ、１０２ｂ、１０２ｃに提供することがある。
【００４１】
ＣＮ１０６は、他のネットワークとの通信を容易にすることができる。たとえば、ＣＮ１０６は、ＷＴＲＵ１０２ａ、１０２ｂ、１０２ｃと従来の陸線通信デバイスとの間の通信を容易にするために、ＰＳＴＮ１０８などの回路交換網へのアクセスをＷＴＲＵ１０２ａ、１０２ｂ、１０２ｃに提供することがある。たとえば、ＣＮ１０６は、ＣＮ１０６とＰＳＴＮ１０８との間のインタフェースとして働くＩＰゲートウェイ（たとえば、ＩＰマルチメディアサブシステム（ＩＭＳ）サーバ）を含むことがある、または、これと通信することがある。加えて、ＣＮ１０６は、他のネットワーク１１２へのアクセスをＷＴＲＵ１０２ａ、１０２ｂ、１０２ｃに提供することがあり、他のネットワーク１１２は、他のサービスプロバイダによって所有および／または運用される他のワイヤードネットワークおよび／またはワイヤレスネットワークを含むことがある。
【００４２】
ＷＴＲＵは、図１Ａ〜図１Ｄではワイヤレス端末として説明されているが、いくつかの代表的な実施形態では、そのような端末が、通信ネットワークとのワイヤード通信インタフェースを（たとえば、一時的または永続的に）使用することが企図されている。
【００４３】
代表的な実施形態では、他のネットワーク１１２はＷＬＡＮであることがある。
【００４４】
インフラストラクチャ基本サービスセット（ＢＳＳ）モードにあるＷＬＡＮは、ＢＳＳのためのアクセスポイント（ＡＰ）と、ＡＰと関連づけられた１つまたは複数の局（ＳＴＡ）とを有することがある。ＡＰは、配信システム（ＤＳ）またはＢＳＳへのおよび／もしくはこれからのトラフィックを搬送する別のタイプのワイヤード／ワイヤレスネットワークへのアクセスまたはインタフェースを有することがある。ＢＳＳの外部から発するＳＴＡへのトラフィックは、ＡＰを通って到着することがあり、ＳＴＡに送達されることがある。ＳＴＡからＢＳＳの外部の宛先に発するトラフィックは、それぞれの宛先に送達されるために、ＡＰに送られることがある。たとえば、送信元ＳＴＡがトラフィックをＡＰに送ることができ、ＡＰが、トラフィックを宛先ＳＴＡに送達することができる場合、ＢＳＳにおけるＳＴＡ間のトラフィックは、ＡＰを通って送られることがある。ＢＳＳにおけるＳＴＡ間のトラフィックは、ピアツーピアトラフィックと考慮されるおよび／または呼ばれることがある。ピアツーピアトラフィックは、ダイレクトリンクセットアップ（ＤＬＳ）を用いて送信元と宛先ＳＴＡとの間で（たとえば、その間で直接的に）送られることがある。いくつかの代表的な実施形態では、ＤＬＳは、８０２．１１ｅ  ＤＬＳまたは８０２．１１ｚトンネルＤＬＳ（ＴＤＬＳ）を使用することがある。独立ＢＳＳ（ＩＢＳＳ）モードを使用するＷＬＡＮは、ＡＰを有しないことがあり、ＩＢＳＳ内のまたはこれを使用するＳＴＡ（たとえば、ＳＴＡのすべて）は、互いと直接的に通信することがある。通信のＩＢＳＳモードは、本明細書では、通信の「アドホック」モードと呼ばれることもある。
【００４５】
動作の８０２．１１ａｃインフラストラクチャモードまたは動作の類似のモードを使用するとき、ＡＰは、プライマリチャネルなどの固定チャネル上でビーコンを送信することがある。プライマリチャネルは、固定幅（たとえば、２０ＭＨｚ幅帯域幅）であってもよいし、シグナリングを介して動的に設定される幅であってもよい。プライマリチャネルは、ＢＳＳの動作チャネルであってよく、ＡＰとの接続を確立するためにＳＴＡによって使用されてよい。いくつかの代表的な実施形態では、キャリア検知多重アクセス衝突回避（ＣＳＭＡ／ＣＡ）は、たとえば、８０２．１１システム内で実施されることがある。ＣＳＭＡ／ＣＡの場合、ＡＰを含めて、ＳＴＡ（たとえば、あらゆるＳＴＡ）は、プライマリチャネルを検知することができる。プライマリチャネルが特定のＳＴＡによって検知／検出される、および／またはビジー状態であると決定された場合、その特定のＳＴＡは、バックオフすることができる。１つのＳＴＡ（たとえば、唯一の局）は、所与のＢＳＳにおいて任意の所与の時間に送信することができる。
【００４６】
高スループット（ＨＴ）ＳＴＡは、たとえば、プライマリ２０ＭＨｚチャネルと隣接または非隣接２０ＭＨｚチャネルの組合せを介して、通信に４０ＭＨｚ幅チャネルを使用して、４０ＭＨｚ幅チャネルを形成することができる。
【００４７】
超高スループット（ＶＨＴ）ＳＴＡは、２０ＭＨｚ幅チャネル、４０ＭＨｚ幅チャネル、８０ＭＨｚ幅チャネル、および／または１６０ＭＨｚ幅チャネルをサポートすることができる。４０ＭＨｚチャネルおよび／または８０ＭＨｚチャネルは、隣接した２０ＭＨｚチャネルを組み合わせることによって形成できる。１６０ＭＨｚチャネルは、８つの隣接した２０ＭＨｚチャネルを組み合わせることによって形成されてもよいし、２つの非隣接８０ＭＨｚチャネルを組み合わせることによって形成されてもよく、これは、８０＋８０構成と呼ばれることがある。８０＋８０構成の場合、データは、チャネル符号化の後、データを２つのストリームに分割することができるセグメントパーサに通過させられることがある。逆高速フーリエ変換（ＩＦＦＴ）処理および時間領域処理は、各ストリーム上で別々に実行できる。ストリームは、２つの８０ＭＨｚチャネル上にマッピングされることがあり、データは、送信側ＳＴＡによって送信されることがある。受信側ＳＴＡの送信機において、８０＋８０構成のための上記で説明された動作は、逆転されてよく、組み合わされたデータは、メディアアクセス制御（ＭＡＣ）に送られることがある。
【００４８】
動作の１ＧＨｚ以下モードは、８０２．１１ａｆおよび８０２．１１ａｈによってサポートされる。チャネル動作帯域幅、およびキャリアは、８０２．１１ａｆおよび８０２．１１ａｈでは、８０２．１１ｎおよび８０２．１１ａｃにおいて使用されるものと比較して減少される。８０２．１１ａｆは、ＴＶホワイトスペース（ＴＶＷＳ）スペクトル内の５ＭＨｚ帯域幅、１０ＭＨｚ帯域幅、および２０ＭＨｚ帯域幅をサポートし、８０２．１１ａｈは、非ＴＶＷＳスペクトルを使用する１ＭＨｚ帯域幅、２ＭＨｚ帯域幅、４ＭＨｚ帯域幅、８ＭＨｚ帯域幅、および１６ＭＨｚ帯域幅をサポートする。代表的な実施形態によれば、８０２．１１ａｈは、マクロカバレッジエリア内のＭＴＣデバイスなどの、メータタイプ制御／マシンタイプ通信をサポートすることができる。ＭＴＣデバイスは、いくつかの能力、たとえば、いくつかのおよび／または制限された帯域幅のサポート（たとえば、これのみのサポート）を含む、制限された能力を有することがある。ＭＴＣデバイスは、（たとえば、非常に長いバッテリ寿命を維持するために）閾値を上回るバッテリ寿命をもつバッテリを含むことがある。
【００４９】
８０２．１１ｎ、８０２．１１ａｃ、８０２．１１ａｆ、および８０２．１１ａｈなどの、複数のチャネルおよびチャネル帯域幅をサポートすることができるＷＬＡＮシステムは、プライマリチャネルとして指定できるチャネルを含む。プライマリチャネルは、ＢＳＳにおけるすべてのＳＴＡによってサポートされる最も大きい一般的な動作帯域幅に等しい帯域幅を有することができる。プライマリチャネルの帯域幅は、ＢＳＳで動作するすべてのＳＴＡの中からＳＴＡによって設定および／または制限されることがあり、ＢＳＳは、最も小さい帯域幅動作モードをサポートする。８０２．１１ａｈの例では、プライマリチャネルは、ＡＰと、ＢＳＳにおける他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（たとえば、これのみをサポートする）ＳＴＡ（たとえば、ＭＴＣタイプデバイス）に対して、１ＭＨｚ幅であってよい。キャリア検知設定および／またはネットワーク割り当てベクトル（ＮＡＶ）設定は、プライマリチャネルのステータスに依存することがある。プライマリチャネルが、たとえば、ＳＴＡ（１ＭＨｚ動作モードのみをサポートする）をＡＰに送信することにより、ビジー状態である場合、利用可能な周波数帯域全体が、この周波数帯域の大半がアイドル状態のままであり、利用可能であることがあっても、ビジー状態と考慮されることがある。
【００５０】
米国では、８０２．１１ａｈによって使用できる利用可能な周波数帯域は、９０２ＭＨｚから９２８ＭＨｚである。韓国では、利用可能な周波数帯域は、９１７．５ＭＨｚから９２３．５ＭＨｚである。日本では、利用可能な周波数帯域は、９１６．５ＭＨｚから９２７．５ＭＨｚである。８０２．１１ａｈに利用可能な総帯域幅は、国名コードに応じて６ＭＨｚから２６ＭＨｚである。
【００５１】
図１Ｄは、実施形態によるＲＡＮ１１３およびＣＮ１１５を例示するシステム図である。上記で述べられたように、ＲＡＮ１１３は、ＮＲ無線技術を用いて、エアインタフェース１１６上でＷＴＲＵ１０２ａ、１０２ｂ、１０２ｃと通信することがある。ＲＡＮ１１３は、ＣＮ１１５とも通信することがある。
【００５２】
ＲＡＮ１１３は、ｇＮＢ１８０ａ、１８０ｂ、１８０ｃを含むことがあるが、ＲＡＮ１１３は、実施形態に一致したままでありながら、任意の数のｇＮＢを含んでよいことが諒解されるであろう。ｇＮＢ１８０ａ、１８０ｂ、１８０ｃは各々、エアインタフェース１１６上でＷＴＲＵ１０２ａ、１０２ｂ、１０２ｃと通信するための１つまたは複数のトランシーバを含むことがある。実施形態では、ｇＮＢ１８０ａ、１８０ｂ、１８０ｃは、ＭＩＭＯ技術を実施することがある。たとえば、ｇＮＢ１８０ａ、１０８ｂは、ビームフォーミングを利用して、ｇＮＢ１８０ａ、１８０ｂ、１８０ｃに信号を送信するおよび／またはこれらから信号を受信することがある。したがって、ｇＮＢ１８０ａは、たとえば、複数のアンテナを使用して、ＷＴＲＵ１０２ａにワイヤレス信号を送信する、および／またはこれからワイヤレス信号を受信することがある。実施形態では、ｇＮＢ１８０ａ、１８０ｂ、１８０ｃは、キャリアアグリゲーション技術を実施することがある。たとえば、ｇＮＢ１８０ａは、複数のコンポーネントキャリアをＷＴＲＵ１０２ａ（図示せず）に送信することがある。これらのコンポーネントキャリアのサブセットは、アンライセンススペクトル上にあることがあるが、残りのコンポーネントキャリアは、ライセンススペクトル上にあることがある。実施形態では、ｇＮＢ１８０ａ、１８０ｂ、１８０ｃは、多地点協調（ＣｏＭＰ）技術を実施することがある。たとえば、ＷＴＲＵ１０２ａは、ｇＮＢ１８０ａおよびｇＮＢ１８０ｂ（および／またはｇＮＢ１８０ｃ）から協調送信を受信することがある。
【００５３】
ＷＴＲＵ１０２ａ、１０２ｂ、１０２ｃは、スケーラブルなニューメロロジーと関連づけられた送信を使用して、ｇＮＢ１８０ａ、１８０ｂ、１８０ｃと通信することができる。たとえば、ＯＦＤＭシンボルスペーシングおよび／またはＯＦＤＭ副搬送波スペーシングは、異なる送信、異なるセル、および／またはワイヤレス送信スペクトルの異なる部分に対して変化してよい。ＷＴＲＵ１０２ａ、１０２ｂ、１０２ｃは、さまざまなまたはスケーラブルな長さ（たとえば、変化する数のＯＦＤＭシンボルを含む、および／または絶対的時間の変化する長さの間、続く）のサブフレームまたは送信時間インターバル（ＴＴＩ）を使用して、ｇＮＢ１８０ａ、１８０ｂ、１８０ｃと通信することができる。
【００５４】
ｇＮＢ１８０ａ、１８０ｂ、１８０ｃは、スタンドアロン構成および／または非スタンドアロン構成でＷＴＲＵ１０２ａ、１０２ｂ、１０２ｃと通信するように構成されてよい。スタンドアロン構成では、ＷＴＲＵ１０２ａ、１０２ｂ、１０２ｃは、他のＲＡＮ（たとえば、ｅＮｏｄｅ−Ｂ１６０ａ、１６０ｂ、１６０ｃなど）にもアクセスすることなく、ｇＮＢ１８０ａ、１８０ｂ、１８０ｃと通信することがある。スタンドアロン構成では、ＷＴＲＵ１０２ａ、１０２ｂ、１０２ｃは、ｇＮＢ１８０ａ、１８０ｂ、１８０ｃのうちの１つまたは複数をモビリティアンカーポイントとして利用してよい。スタンドアロン構成では、ＷＴＲＵ１０２ａ、１０２ｂ、１０２ｃは、アンライセンス帯域内の信号を使用して、ｇＮＢ１８０ａ、１８０ｂ、１８０ｃと通信することがある。非スタンドアロン構成では、ＷＴＲＵ１０２ａ、１０２ｂ、１０２ｃは、ｅＮｏｄｅ−Ｂ１６０ａ、１６０ｂ、１６０ｃなどの別のＲＡＮとも通信／接続しながら、ｇＮＢ１８０ａ、１８０ｂ、１８０ｃと通信／接続することがある。たとえば、ＷＴＲＵ１０２ａ、１０２ｂ、１０２ｃは、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信するために、ＤＣ原則を実施することがある。非スタンドアロン構成では、ｅＮｏｄｅ−Ｂ１６０ａ、１６０ｂ、１６０ｃは、ＷＴＲＵ１０２ａ、１０２ｂ、１０２ｃのためのモビリティアンカーとして働くことがあり、ｇＮＢ１８０ａ、１８０ｂ、１８０ｃは、ＷＴＲＵ１０２ａ、１０２ｂ、１０２ｃにサービスするために追加のカバレッジエリアおよび／またはスループットを提供することがある。
【００５５】
ｇＮＢ１８０ａ、１８０ｂ、１８０ｃの各々は、特定のセル（図示せず）と関連づけられることがあり、無線リソース管理判断、ハンドオーバ判断、ＵＬおよび／またはＤＬにおけるユーザのスケジューリング、ネットワークスライシングのサポート、デュアルコネクティビティ、ＮＲとＥ−ＵＴＲＡとの間の網間接続、ユーザプレーン機能（ＵＰＦ）１８４ａ、１８４ｂに向けてのユーザプレーンデータのルーティング、アクセスおよびモビリティ管理機能（ＡＭＦ）１８２ａ、１８２ｂに向けての制御プレーン情報のルーティングなどを取り扱うように構成されることがある。図１Ｄに示されるように、ｇＮＢ１８０ａ、１８０ｂ、１８０ｃは、Ｘｎインタフェース上で互いと通信することがある。
【００５６】
図１Ｄに示されるＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、おそらくデータネットワーク（ＤＮ）１８５ａ、１８５ｂとを含むことができる。前述の要素の各々は、ＣＮ１１５の一部として表されているが、これらの要素のいずれも、ＣＮ運用業者以外のエンティティによって所有および／または運用されてよいことが諒解されるであろう。
【００５７】
ＡＭＦ１８２ａ、１８２ｂは、Ｎ２インタフェースを介してＲＡＮ１１３内のｇＮＢ１８０ａ、１８０ｂ、１８０ｃのうちの１つまたは複数に接続されることがあり、制御ノードとして働くことがある。たとえば、ＡＭＦ１８２ａ、１８２ｂは、ＷＴＲＵ１０２ａ、１０２ｂ、１０２ｃのユーザを認証すること、ネットワークスライシングのサポート（たとえば、異なる要件をもつ異なるＰＤＵセッションの取り扱い）、特定のＳＭＦ１８３ａ、１８３ｂを選択すること、登録エリアの管理、ＮＡＳ信号の終了、モビリティ管理などを担当することがある。ネットワークスライシングは、ＷＴＲＵ１０２ａ、１０２ｂ、１０２ｃを利用しているサービスのタイプに基づいてＷＴＲＵ１０２ａ、１０２ｂ、１０２ｃのＣＮサポートをカスタマイズするために、ＡＭＦ１８２ａ、１８２ｂによって使用されることがある。たとえば、異なるネットワークスライスが超高信頼低レイテンシ（ＵＲＬＬＣ）アクセスに依拠するサービス、ｅｎｈａｎｃｅｄ  ｍａｓｓｉｖｅ  ｍｏｂｉｌｅ  ｂｒｏａｄｂａｎｄに依拠するサービス（ｅＭＢＢ）アクセス、マシンタイプ通信（ＭＴＣ）アクセスのためのサービスなどの、異なる使用事例のために確立されることがある。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術などの他の無線技術を用いる他のＲＡＮ（図示せず）を切り換えるための制御プレーン機能を提供することがある。
【００５８】
ＳＭＦ１８３ａ、１８３ｂは、Ｎ１１インタフェースを介して、ＣＮ１１５内のＡＭＦ１８２ａ、１８２ｂに接続されてよい。ＳＭＦ１８３ａ、１８３ｂは、Ｎ４インタフェースを介して、ＣＮ１１５内のＵＰＦ１８４ａ、１８４ｂに接続されてよい。ＳＭＦ１８３ａ、１８３ｂは、ＵＰＦ１８４ａ、１８４ｂを選択および制御し、ＵＰＦ１８４ａ、１８４ｂを通るトラフィックのルーティングを構成することができる。ＳＭＦ１８３ａ、１８３ｂは、ＵＥ  ＩＰアドレスを管理および割り当てること、ＰＤＵセッションを管理すること、ポリシー執行およびＱｏＳを制御すること、ダウンリンクデータ通知を提供することなどの、他の機能を実行してよい。ＰＤＵセッションタイプは、ＩＰベース、非ＩＰベース、イーサネットベースなどであってよい。
【００５９】
ＵＰＦ１８４ａ、１８４ｂは、Ｎ３インタフェースを介してＲＡＮ１１３内のｇＮＢ１８０ａ、１８０ｂ、１８０ｃのうちの１つまたは複数に接続されることがあり、Ｎ３インタフェースは、ＷＴＲＵ１０２ａ、１０２ｂ、１０２ｃとＩＰ対応デバイスとの間の通信を容易にするために、インターネット１１０などのパケット交換網へのアクセスをＷＴＲＵ１０２ａ、１０２ｂ、１０２ｃに提供することがある。ＵＰＦ１８４、１８４ｂは、パケットをルーティングおよび転送すること、ユーザプレーンポリシーを執行すること、マルチホームＰＤＵセッションをサポートすること、ユーザプレーンＱｏＳを取り扱うこと、ダウンリンクパケットをバッファリングすること、モビリティアンカリングを提供することなどの、他の機能を実行してよい。
【００６０】
ＣＮ１１５は、他のネットワークとの通信を容易にすることができる。たとえば、ＣＮ１１５は、ＣＮ１１５とＰＳＴＮ１０８との間のインタフェースとして働くＩＰゲートウェイ（たとえば、ＩＰマルチメディアサブシステム（ＩＭＳ）サーバ）を含むことがある、または、これと通信することがある。加えて、ＣＮ１１５は、他のネットワーク１１２へのアクセスをＷＴＲＵ１０２ａ、１０２ｂ、１０２ｃに提供することがあり、他のネットワーク１１２は、他のサービスプロバイダによって所有および／または運用される他のワイヤードネットワークおよび／またはワイヤレスネットワークを含むことがある。一実施形態では、ＷＴＲＵ１０２ａ、１０２ｂ、１０２ｃは、ＵＰＦ１８４ａ、１８４ｂへのＮ３インタフェースおよびＵＰＦ１８４ａ、１８４ｂとＤＮ１８５ａ、１８５ｂとの間のＮ６インタフェースを介して、ＵＰＦ１８４ａ、１８４ｂを通じて、ローカルデータネットワーク（ＤＮ）１８５ａ、１８５ｂに接続されることがある。
【００６１】
図１Ａ〜図Ｄおよび図１Ａ〜図１Ｄの対応する記載に鑑みて、本明細書において、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書において説明される他の任意のデバイスのうちの１つまたは複数に関して説明される機能のうちの１つまたは複数、またはすべては、１つまたは複数のエミュレーションデバイス（図示せず）によって実行できる。エミュレーションデバイスは、本明細書において説明される機能の１つまたは複数、またはすべてをエミュレートするように構成された１つまたは複数のデバイスであってよい。たとえば、エミュレーションデバイスは、他のデバイスをテストするため、ならびに／またはネットワーク機能および／もしくはＷＴＲＵ機能をシミュレートするために使用されることがある。
【００６２】
エミュレーションデバイスは、ラボ環境内および／または運用業者ネットワーク環境内で他のデバイスの１つまたは複数のテストを実施するように設計されることがある。たとえば、１つまたは複数のエミュレーションデバイスは、通信ネットワーク内の他のデバイスをテストするために、ワイヤード通信ネットワークおよび／またはワイヤレス通信ネットワークの一部として完全または部分的に実施および／または展開されながら、１つまたは複数、またはすべての機能を実行することがある。１つまたは複数のエミュレーションデバイスはワイヤード通信ネットワークおよび／またはワイヤレス通信ネットワークの一部として一時的に実施／展開されながら、１つまたは複数、またはすべての機能を実行することがある。エミュレーションデバイスは、テストする目的で別のデバイスに直接的に結合されてよく、および／またはオーバーザエア（over-the-air）ワイヤレス通信を使用してテスティングを実行してもよい。
【００６３】
１つまたは複数のエミュレーションデバイスは、ワイヤード通信ネットワークおよび／またはワイヤレス通信ネットワークの一部として実施／展開されていないが、すべてを含む、１つまたは複数の機能を実行することがある。たとえば、エミュレーションデバイスは、１つまたは複数の構成要素のテスティングを実施するために、テスティングラボラトリならびに／または非展開（たとえば、テスティング）ワイヤード通信ネットワークおよび／もしくはワイヤレス通信ネットワーク内でのテスティングシナリオにおいて利用されることがある。１つまたは複数のエミュレーションデバイスは、テスト機器であってよい。直接的ＲＦ結合および／またはＲＦ回路（たとえば、１つまたは複数のアンテナを含んでよい）を介したワイヤレス通信は、データを送信および／または受信するために、エミュレーションデバイスによって使用されることがある。
【００６４】
台頭しつつある５Ｇシステムのための使用事例の幅広い分類は、Ｅｎｈａｎｃｅｄ  Ｍｏｂｉｌｅ  Ｂｒｏａｄｂａｎｄ（ｅＭＢＢ）、Ｍａｓｓｉｖｅ  Ｍａｃｈｉｎｅ  Ｔｙｐｅ  Ｃｏｍｍｕｎｉｃａｔｉｏｎｓ（ｍＭＴＣ）、およびＵｌｔｒａ  Ｒｅｌｉａｂｌｅ  ａｎｄ  Ｌｏｗ  Ｌａｔｅｎｃｙ  Ｃｏｍｍｕｎｉｃａｔｉｏｓ（ＵＲＬＬＣ）と表され得る。使用事例の幅広い分類は、ＩＴＵ−Ｒ、ＮＧＭＮ、および３ＧＰＰによって記述される要件に基づくことができる。使用事例は、より高いデータレート、より高いスペクトル効率、低電力、より高いエネルギー効率、より低いレイテンシ、およびより高い信頼性などの１つまたは複数の要件に焦点を当てることがある。７００ＭＨｚから８０ＧＨｚに及ぶ広範囲のスペクトル帯域は、さまざまな展開シナリオのために考慮されてよい。
【００６５】
搬送周波数が増加すると、経路損失は、十分なカバレッジを保証する制限になることがある。ミリメートル波システムにおける送信は、見通し外損失（たとえば、回折損失、侵入損失、酸素吸収損失、樹木の葉による損失（foliage loss）など）を被ることがある。初期アクセス中、基地局および／またはＷＴＲＵは、高い経路損失を克服し、および／または互いを発見することがある。たとえば、アンテナ素子を利用してビームフォーミングされた信号を生成することは、ビームフォーミング利得を提供することによって経路損失を補償するために使用されることがある。ビームフォーミング技法は、デジタルビームフォーミング、アナログビームフォーミング、およびハイブリッドビームフォーミングを含んでよい。
【００６６】
ＬＴＥ初期同期および／またはブロードキャストチャネルが提供されてよい。
【００６７】
セル探索では、ＷＴＲＵは、セルとの時間同期および／もしくは周波数同期を獲得することがあり、ならびに／またはセルのセルＩＤを検出することがある。ＬＴＥ同期信号は、１つまたは複数の（たとえば、あらゆる）無線フレームの第０のサブフレームおよび／もしくは第５のサブフレームで送信されることがあり、ならびに／または初期化中の時間同期および／もしくは周波数同期に使用されることがある。システム獲得の一部として、ＷＴＲＵは、たとえば、同期信号に基づいて、ＯＦＤＭシンボル、スロット、サブフレーム、ハーフフレーム、および／または無線フレームに同期する（たとえば、順次同期する）ことがある。同期信号は、プライマリ同期信号（ＰＳＳ）および／またはセカンダリ同期信号（ＳＳＳ）であってよい。プライマリ同期信号（ＰＳＳ）は、スロット、サブフレーム、および／またはハーフフレーム境界を取得するために使用されることがある。ＰＳＳは、セル識別情報グループ内の物理層セル識別情報（ＰＣＩ）を提供することができる。セカンダリ同期信号（ＳＳＳ）は、無線フレーム境界を取得するために使用されることがある。ＳＳＳは、ＷＴＲＵがセル識別情報グループを決定することを可能にすることができ、セル識別情報グループは、０から１６７に及ぶことができる。
【００６８】
同期（たとえば、成功した同期）および／またはＰＣＩ獲得に続いて、ＷＴＲＵは、たとえば、セル固有基準信号（ＣＲＳ）の助けで、物理ブロードキャストチャネル（ＰＢＣＨ）を復号し、ならびに／またはシステム帯域幅、システムフレーム番号（ＳＦＮ）、および／もしくはＰＨＩＣＨ構成に関するマスタ情報ブロック（ＭＩＢ）情報を獲得することができる。
【００６９】
ＬＴＥ同期信号および／またはＰＢＣＨは、たとえば、標準化された周期性に従って、送信される（たとえば、連続的に送信される）ことがある。
【００７０】
高レベル統一同期信号（ＳＳ）バースト構造は、たとえば、ｎｅｗ  ｒａｄｉｏ（ＮＲ）において、以下の通りであってよい。ＰＳＳ、ＳＳＳ、および／もしくはＰＢＣＨは、ＳＳブロック内で送信されてよく、１つもしくは複数のＳＳブロックはＳＳバーストを構成してよく、および／または１つもしくは複数のＳＳバーストは、ＳＳバーストセットを構成してよい。１つもしくは複数のＳＳブロックがＳＳバーストを構成することがあり、および／または１つもしくは複数のＳＳバーストがＳＳバーストセットを構成することがあるので、ＰＳＳ、ＳＳＳ、および／またはＰＢＣＨは、ＳＳバーストおよび／またはＳＳバーストセット内で送信されることがある。以下のうちの１つまたは複数は、対処でき、本明細書において提供できる。ＳＳバースト構成および／または構造のための詳細な設計が提供されてよい。ＳＳバースト内で示された情報が提供されてよい。統一ＳＳバースト構造（たとえば、シングルビームおよび／またはマルチビーム展開をサポートするために）が提供されてよい。時間インジケーション（たとえば、シングルビームおよび／またはマルチビーム動作を包含することができるＳＳバーストのための）のための設計が提供されてよい。詳細なＳＳバースト構成および／または構造が提供されてよい。
【００７１】
ＮＲにおけるＳＳバースト構造（たとえば、新しいＳＳバースト構造）が、システムフレーム獲得に影響を及ぼすことがある。ＬＴＥシステムフレーム獲得は、たとえば、ＳＦＮを伝えるためにＰＢＣＨペイロード内で搬送されるスクランブリングおよび／または１つもしくは複数のシステムフレーム番号（ＳＦＮ）によって、行われることがある。システムフレーム番号および／または拡張ＳＦＮ（たとえば、ＳＳバーストセット構造に基づく）を獲得する設計は、たとえば、ＳＳブロックおよび／またはバースト構造の導入に対処するために、（たとえば、ＮＲに）提供されることがある。
【００７２】
ＮＲにおけるＳＳバーストセット構造は、システム性能および／または同期レイテンシ（たとえば、最適なシステム性能および同期レイテンシ）のためにＳＳ系列を再設計することがある。ＮＲにおけるＳＳバースト構造に適合する系列設計が提供されることがある。
【００７３】
ＳＳバーストセットが、設計および／または構築されることがある。
【００７４】
ＳＳバーストセット設計および／または構造は、信号の無線フレーム番号、スロット番号、サブフレーム番号、ミニスロット番号、システムフレーム番号、周期性、および／またはコヒーレント合成、のうちの１つまたは複数を考慮することがある。
【００７５】
ＳＳブロックは、無線フレームを参照して定義されてよい。ＳＳブロックインデックスは、無線フレーム内で示すことができる。ＳＳブロックインデックスは、ＳＳブロックのための時間インデックスであってよい。無線フレーム内のＳＳブロックのための時間インデックスは、たとえば、無線フレーム内の１つまたは複数のＳＳブロックを識別するために使用されてよい。
【００７６】
ＳＳブロックは、ＳＳバーストを参照して定義されてよい。ＳＳバーストは、ＳＳバーストセットを参照して定義されてよい。ＳＳバースト内のＳＳブロックに固有であってよい時間インデックスが、たとえば、使用されてよい。ＳＳバーストセット内の１つまたは複数のＳＳバーストに固有であってよい別の時間インデックスが、ＳＳバーストに使用されてよい。ＳＳバーストインデックスは、１つまたは複数のＳＳバースト内のＳＳブロックにわたって共通であってよい。ＳＳブロックインデックスは、ＳＳバースト内で示されてよく、および／またはＳＳバーストインデックスは、ＳＳバーストセット内で示されてよい。ＳＳブロックは、ＳＳバーストセットを参照して定義されてよい。ＳＳブロックインデックスは、ＳＳバーストセット内で示されてよい。ＳＳバーストセット内のＳＳブロックのための時間インデックスは、たとえば、ＳＳバーストセット内の１つまたは複数のＳＳブロックを識別するために使用されてよい。ＳＳブロックは、所定のウィンドウ内で設置されてよい。ＳＳブロックは、ＳＳバーストセットの周期性（たとえば、周期性全体）にわたって分散されてよい。ＳＳブロックは、設置されてよい。ＳＳブロック（たとえば、すべてのＳＳブロック）は、ハーフ無線フレーム内に限定されてもよいし、５ｍｓウィンドウ内に限定されてもよい。たとえば、ＳＳブロックは、第１のハーフ無線フレームまたは第２のハーフ無線フレーム内に限定されてもよいし、１０ｍｓ無線フレームの第１の５ｍｓウィンドウまたは第２の５ｍｓウィンドウ内に限定されてもよい。ＳＳブロックが第１のハーフ無線フレームまたは第２のハーフ無線フレーム内に限定されるか、１０ｍｓ無線フレームの第１の５ｍｓウィンドウまたは第２の５ｍｓウィンドウ内に限定されるかは、たとえば、デフォルトであらかじめ決定されてもよいし、インジケータによって示されてもよい。たとえば、ＷＴＲＵは、ハーフ無線フレームインジケーションに基づいてＳＳブロック（たとえば、第１の無線フレームまたは第２の無線フレーム）をどこで受信するべきか示されてよい。
【００７７】
周波数帯域の場合、ＳＳブロックは、（たとえば、デフォルト副搬送波スペーシングに基づいて）Ｋ個のＯＦＤＭシンボルに対応することがある。Ｋは定数であってよい。ＳＳブロック内の信号の多重化構造は、固定されてよい。ＳＳバーストセットは、Ｍ個のＳＳバーストに対応してよい。ＳＳバーストは、Ｎ個のＳＳブロックに対応してよい。ＳＳバーストセットは、Ｌ個のＳＳブロックに対応してよい。ＬはＬ＝ＭＮであってよい。例示的なＳＳバーストセット設計および／または構造は、図２に表すことができる。
【００７８】
図２は、ＳＳブロック、ＳＳバースト、および／またはＳＳバーストセットを構築および／または設計するための例を示す。ＳＳバーストは、Ｎ個のＳＳブロックに対応することがあり、および／またはＳＳバーストセットは、Ｍ個のＳＳバーストに対応することがある。ＳＳブロックは、ＳＳバーストを参照して定義されてよく、および／またはＳＳバーストは、ＳＳバーストセットを参照して定義されてよい。ＳＳブロックインデックスは、ＳＳバースト内で示されてよく、および／またはＳＳバーストインデックスは、ＳＳバーストセット内で示されてよい。
【００７９】
図３は、ＳＳブロック、ＳＳバースト、および／またはＳＳバーストセットを構築および／または設計するための例を示す。ＳＳバーストセットは、Ｌ個のＳＳブロックに対応してよい。ＳＳブロックは、ＳＳバーストセットを参照して定義されてよい。ＳＳブロックインデックスは、ＳＳバーストセット内で示されてよい。
【００８０】
図４は、ＳＳブロック、ＳＳバースト、および／またはＳＳバーストセットを構築および／または設計するための例を示す。無線フレームは、Ｎ個のＳＳブロックに対応することがあり、および／またはＳＳバーストセットは、Ｍ個の無線フレームに対応することがある。ＳＳブロックは、無線フレームを参照して定義されてよい。無線フレームは、ＳＳバーストセットを参照して定義されてよい。ＳＳブロックインデックスは、無線フレーム内で示されてよく、および／または無線フレームインデックスは、ＳＳバーストセット内で示されてよい。
【００８１】
本明細書において説明されるように、ＳＳバーストは、Ｎ個のＳＳブロックに対応することがあり、および／またはＳＳバーストセットは、Ｍ個のＳＳバーストに対応することがある。ＳＳバーストセットは、Ｌ個のＳＳブロックに対応してよい。Ｍ、Ｎ、またはＬのうちの１つまたは複数の固定値（たとえば、ＭおよびＮ、またはＬ）が使用されてよい。Ｍ、Ｎ、および／またはＬの値は、Ｍ、Ｎ、および／またはＬの値が、セル固有、ｇＮＢ固有、ならびに／または送信および受信点（ＴＲＰ）固有であるように設計されてよい。例（たとえば、代替形態）では、Ｍ、Ｎ、および／またはＬの値は、固定されていなくてもよく、および／または変更されてもよい。Ｍおよび／またはＮは、更新および／または提供されてよい。パラメータＭ、Ｎ、および／またはＬは、構成できる。
【００８２】
ＷＴＲＵは、（たとえば、ＳＳバーストセット内の）どのＳＳブロックが送信できるかについての情報とともに構成されてよい。ＷＴＲＵは、（たとえば、ＳＳバーストセット内の）どのＳＳブロックがアクティブ化できるか、有効にできるか、および／または送信できるかについての情報をｇＮＢおよび／またはＴＲＰに提供することがある。ＷＴＲＵは、アイドルモードであることがある。ＷＴＲＵがアイドルモードであるとき、ＷＴＲＵは、ＳＳバーストセット内の（たとえば、どの）ＳＳブロックが初期ＵＬ送信、ＮＲ−ＰＲＡＣＨメッセージ１、および／またはメッセージ３などを介してアクティブ化できるか、有効にできるか、および／または送信できるかについての情報を、ｇＮＢおよび／またはＴＲＰに提供することができる。接続モードのとき、ＷＴＲＵは、ＳＳバーストセット内の（たとえば、どの）ＳＳブロックが、ＷＴＲＵフィードバック（たとえば、ＮＲ−ＰＵＣＣＨなどのＵＣＩ）を介したならびに／またはＭＡＣ  ＣＥおよび／もしくは無線リソース制御（ＲＲＣ）シグナリングを介したなどの送信のためにアクティブ化できるか、有効にできるか、非アクティブ化できるか、および／または無効にできるかについての情報を、ｇＮＢおよび／またはＴＲＰに提供することができる。
【００８３】
受信されたＳＳブロックに基づいて、ＷＴＲＵは、以下のうちの１つまたは複数（たとえば、すべて）を識別することができる。ＷＴＲＵは、ＯＦＤＭシンボルインデックス、無線フレーム内のスロットインデックス、無線フレーム番号、および／またはミニスロットインデックスを識別することができる。初期セル選択の場合、デフォルトＳＳバーストセット周期性は、周波数帯域および／または周波数範囲（たとえば、その関数）に基づいてよい。ＷＴＲＵは、たとえば、ＷＴＲＵが動作することができる周波数帯域および／または周波数範囲に基づいて決定されることがあるデフォルトＳＳバーストセット周期性を仮定することができる。ＳＳブロックは、ＳＳバーストセット周期性とともに繰り返されてよい。繰り返されるＳＳブロック内のＮＲ−ＰＢＣＨ内容は、同じでなくてよく、および／または変更してよい。ＳＳブロック時間ロケーションのセット（たとえば、単一のセット）は、周波数範囲、周波数帯域、および／または副帯域ごとに指定されてよい。
【００８４】
ＳＳブロックは、１つまたは複数の信号を含むことができる。たとえば、ＳＳブロックは、ＮＲ−ＰＳＳ、ＮＲ−ＳＳＳ、および／またはＮＲ−ＰＢＣＨのうちの１つまたは複数を含むことがある。信号タイプは、ＳＳブロック内に含まれることがある。たとえば、別のタイプ（たとえば、第２のタイプ）のＰＢＣＨ信号が、ＳＳブロック内に含まれることがある（たとえば、セカンダリＮＲ−ＰＢＣＨ信号が含まれることがある）。別のタイプ（たとえば、第３のタイプ）のＳＳ信号（たとえば、第３のＳＳ信号および／またはＮＲ−ＳＳ信号）、および／またはＮＲ−ＰＳＳおよび／またはＮＲ−ＳＳＳが、ＳＳブロック内に含まれることがある。他の信号タイプ（たとえば、モビリティ基準信号（ＭＲＳ）および／または測定基準信号）が含まれてよい。１つまたは複数の他のチャネル（たとえば、データ送信および／または制御情報）が、ＳＳブロック内で多重化されることがある。１つまたは複数の信号（たとえば、ＮＲ−ＰＢＣＨ信号、第２のＮＲ−ＰＢＣＨ信号、第２のタイプＮＲ−ＰＢＣＨ信号、第３のＮＲ−ＰＢＣＨ信号、および／または第３のタイプＳＳ信号）が、１つまたは複数のＳＳブロック内で非アクティブ化されることがある。
【００８５】
ＳＳブロックインデックスは、以下の信号のうちの１つまたは複数を使用して示されてよい。信号は、ＮＲ−ＳＳ、ＮＲ−ＰＢＣＨ、別のＮＲ−ＳＳ、別のタイプＮＲ−ＳＳ（たとえば、第３のＮＲ−ＳＳ）、別のＮＲ−ＰＢＣＨ、別のタイプＮＲ−ＰＢＣＨ（たとえば、セカンダリＮＲ−ＰＢＣＨ）などを含むことができる。ＳＳブロックインデックスは、ＰＢＣＨ信号および／またはチャネルのペイロード内で搬送できる。たとえば、ＳＳブロックインデックスが示される（たとえば、ＮＲ−ＰＢＣＨ、別のＮＲ−ＰＢＣＨ、および／または別のタイプのＮＲ−ＰＢＣＨを使用して示される）とき、ＳＳブロックインデックスは、ＰＢＣＨ信号および／またはチャネルのペイロード内で搬送されることがある。ＳＳブロックインデックスは、いくつかの暗黙的な特徴（たとえば、ＣＲＣマスキングおよび／または系列スクランブリング）を使用してＮＲ−ＰＢＣＨ、別のＮＲ−ＰＢＣＨ、および／または別のタイプのＮＲ−ＰＢＣＨのうちの１つまたは複数の中に埋め込まれることがある。ＷＴＲＵは、ｇＮＢおよび／またはＴＲＰが同じ番号の物理的ビームを送信することがあると仮定しないことがある。ＷＴＲＵは、ｇＮＢおよび／またはＴＲＰが、ＳＳバースト内および／またはＳＳバーストセット内の１つまたは複数の（たとえば、異なる）ＳＳブロックにわたって同じ物理的ビームを送信することがあると仮定しないことがある。
【００８６】
システムフレームが獲得できる。
【００８７】
システムフレームは、たとえば、ＳＳブロックおよび／またはバーストを使用して、獲得できる。
【００８８】
ＳＳブロックインデックスは、無線フレーム番号を示すために使用されることがある。ＳＳブロックインデックスが１つまたは複数のＮblock無線フレームを示すとき、Ｎsfシステムフレームは、ＳＦＮ＝ｆ（ＰＢＣＨ内のＳＦＮ，ＳＳブロックインデックス）と示すことができる。ＳＳブロックインデックスは、ＳＳブロックによって示すことができるＳＦＮ  ＬＳＢに対してｌｏｇ2（Ｎblock）ビットによって表すことができる。ＰＢＣＨ内のＳＦＮは、ＮＲ−ＰＢＣＨ信号およびチャネル内で（たとえば、ＮＲ−ＰＢＣＨペイロードによって）示すことができるＳＦＮ  ＭＳＢに対してｌｏｇ2（Ｎsf）−ｌｏｇ2（Ｎblock）ビットによって表すことができる。
【００８９】
図５は、ＳＳブロックインデックスを使用した例示的なシステムフレーム番号獲得を示す。５０２では、ＷＴＲＵは、ＳＳブロックおよび／または関連づけられたＳＳブロックインデックスを検出することができる。ＷＴＲＵは、５０４において、受信されたＳＳブロックおよび／または関連づけられたＳＳブロックインデックスからＳＦＮのＬＳＢを導き出すことができる。ＷＴＲＵは、５０６において、ＮＲ−ＰＢＣＨを受信することができる。ＷＴＲＵは、５０８において、受信されたＮＲ−ＰＢＣＨ信号および／またはチャネルからＳＦＮのＭＳＢを導き出すことができる。ＷＴＲＵは、５１０において、ＳＦＮ（たとえば、ＳＦＮ全体）を獲得することができる。たとえば、ＷＴＲＵは、ＳＳブロック内で示すことができおよび／もしくは搬送できるＬＳＢならびに／またはＮＲ−ＰＢＣＨ信号および／もしくはチャネル内で示すことができおよび／もしくは搬送できるＭＳＢを組み合わせることによって、ＳＦＮ（たとえば、ＳＦＮ全体）を獲得することができる。
【００９０】
ＳＳバーストインデックスは、無線フレーム番号を示すために使用されることがある。ＳＳバーストインデックスが１つまたは複数のＮburst無線フレームを示すとき、Ｎsfシステムフレームは、ＳＦＮ＝ｆ（ＰＢＣＨ内のＳＦＮ，ＳＳバーストインデックス）と示すことができる。ＳＳバーストインデックスは、たとえば、ＳＳバーストを使用して示すことができるＳＦＮ  ＬＳＢに対してｌｏｇ2（Ｎburst）ビットによって表すことができる。ＰＢＣＨ内のＳＦＮは、たとえば、ＮＲ−ＰＢＣＨ信号およびチャネル内で示すことができるＳＦＮ  ＭＳＢに対してｌｏｇ2（Ｎsf）−ｌｏｇ2（Ｎburst）ビットによって表すことができる。
【００９１】
図６は、ＳＳブロックおよび／またはバーストを使用した例示的なシステムフレーム番号獲得を示す。６０２では、ＷＴＲＵは、ＳＳバーストおよび／または関連づけられたＳＳバーストインデックスを検出することができる。ＷＴＲＵは、６０４において、受信されたＳＳバーストおよび／または関連づけられたＳＳバーストインデックスからＳＦＮのＬＳＢを導き出すことができる。ＷＴＲＵは、６０６において、ＮＲ−ＰＢＣＨを受信することができる。ＷＴＲＵは、６０８において、ＳＦＮのＭＳＢを導き出すことができる。たとえば、ＷＴＲＵは、受信されたＮＲ−ＰＢＣＨペイロードからＳＦＮのＭＳＢを導き出すことができる。ＷＴＲＵは、６１０において、ＳＦＮ（たとえば、ＳＦＮ全体）を獲得することができる。たとえば、ＷＴＲＵは、ＳＳバースト内で示すことができるおよび／または搬送できるＬＳＢとＮＲ−ＰＢＣＨ信号および／またはチャネル内で示すことができるおよび／または搬送できるＭＳＢを組み合わせることによって、ＳＦＮを獲得することができる。
【００９２】
多段階システムフレーム獲得が提供されることがある。
【００９３】
図７は、（たとえば、３段階手法を使用する）例示的な多段階システムフレーム番号獲得を示す。ＳＦＮは、以下のパラメータ、すなわち、ＳＳブロック／バーストインデックス、スクランブリング符号、および／またはＮＲ−ＰＢＣＨ内のＳＦＮ、のうちの１つまたは複数の関数であってよい。ＳＦＮは、ｆ（ＳＳブロック／バーストインデックス，スクランブリング符号、ＮＲ−ＰＢＣＨ内のＳＦＮ）であってよい。
【００９４】
例示的な多段階システムフレーム番号獲得は、以下のように実行されることがある。７０２では、ＷＴＲＵは、ＳＳブロックおよび／またはバーストを検出することができる。ＷＴＲＵは、７０４において、受信されたＳＳブロック／バーストからＳＦＮの第１のパートを導き出すことができる。ＷＴＲＵは、７０６において、ＮＲ−ＰＢＣＨを受信することができる。ＷＴＲＵは、７０８において、スクランブル符号からＳＦＮの第２のパートを導き出すことができる。ＷＴＲＵは、７１０において、ＮＲ−ＰＢＣＨ信号および／またはチャネル（たとえば、ペイロード）からＳＦＮの第３のパートを導き出すことができる。ＷＴＲＵは、７１２において、ＳＦＮ（たとえば、ＳＦＮ全体）を獲得することができる。たとえば、ＷＴＲＵは、ＳＳブロック内で示されるＳＦＮの第１のパート、スクランブル符号内で示されるＳＦＮの第２のパート、および／または（たとえば、段階にわたって）ペイロードＮＲ−ＰＢＣＨ内で示されるＳＦＮの第３のパートを組み合わせることによって、ＳＦＮを獲得することができる。
【００９５】
図８は、例示的なシステムフレーム番号獲得（たとえば４段階獲得を用いた、たとえば多段階システムフレーム番号獲得）を示す。ＳＦＮは、以下のパラメータ、すなわち、ＳＳブロックインデックス、ＳＳバーストインデックス、スクランブリング符号、および／またはＮＲ−ＰＢＣＨ内のＳＦＮ、のうちの１つまたは複数（たとえば、その関数）に基づいてよい。ＳＦＮは、ｆ（ＳＳブロックインデックス，ＳＳバーストインデックス，スクランブリング符号、ＮＲ−ＰＢＣＨ内のＳＦＮ）であってよい。例示的な多段階システムフレーム番号獲得は、以下のように実行されることがある。８０２では、ＷＴＲＵは、ＳＳブロックを検出することができる。ＷＴＲＵは、８０４において、受信されたＳＳブロックからＳＦＮの第１のパートを導き出すことができる。８０６では、ＷＴＲＵは、ＳＳバーストを検出することができる。ＷＴＲＵは、８０８において、受信されたＳＳバーストからＳＦＮの第２のパートを導き出すことができる。ＷＴＲＵは、８１０において、ＮＲ−ＰＢＣＨを受信することができる。ＷＴＲＵは、８１２において、スクランブル符号からＳＦＮの第３のパートを導き出すことができる。ＷＴＲＵは、８１４において、ＮＲ−ＰＢＣＨペイロードからＳＦＮの第４のパートを導き出すことができる。
【００９６】
８１６では、ＷＴＲＵは、ＳＦＮ（たとえば、ＳＦＮ全体）を獲得することができる。たとえば、ＷＴＲＵは、ＳＦＮの第１のパート（たとえば、ＳＳブロック内で示される）、ＳＦＮの第２のパート（たとえば、ＳＳバースト内で示される）、ＳＦＮの第３のパート（たとえば、スクランブル符号内で示される）、および／またはＳＦＮの第４のパート（たとえば、ＮＲ−ＰＢＣＨペイロード内で示される）（たとえば、段階にまたがって）を組み合わせることによって、ＳＦＮを獲得することができる。
【００９７】
図９は、例示的な多段階システムフレーム番号獲得を示す。例示的な多段階システムフレーム番号獲得は、以下のように実行されることがある。９０２では、ＷＴＲＵは、ＳＳブロックを検出することができる。ＷＴＲＵは、９０４において、受信されたＳＳブロックからＳＦＮのＬＳＢの第１のパートを導き出すことができる。ＷＴＲＵは、９０６において、ＮＲ−ＰＢＣＨを受信することができる。ＷＴＲＵは、９０８において、スクランブル符号からＳＦＮのＬＳＢの第２のパートを導き出すことができる。ＷＴＲＵは、９１０において、ＮＲ−ＰＢＣＨペイロードからＳＦＮのＭＳＢを導き出すことができる。
【００９８】
ＷＴＲＵは、９１２において、ＳＦＮ（たとえば、ＳＦＮ全体）を獲得することができる。たとえば、ＷＴＲＵは、段階においてＳＦＮのＬＳＢの第１のパート（たとえば、ＳＳブロック内で示される）、ＳＦＮのＬＳＢの第２のパート（たとえば、スクランブル符号内で示される）、および／またはＳＦＮのＭＳＢ（たとえば、ＮＲ−ＰＢＣＨペイロード内で示される）を組み合わせることによって、ＳＦＮを獲得することができる。
【００９９】
システムフレーム獲得が提供されることがある。以下のうちの１つまたは複数が適用されてよい。
【０１００】
ＷＴＲＵは、ＳＳブロック信号を受信することができる。
【０１０１】
ＷＴＲＵは、ＳＳバーストセット内のＳＳブロック時間インジケーションを検出することができる。ＳＳブロック時間インジケーションは、０からＬ−１に及ぶことができるＳＳblock_indexと表記でき、たとえば、ＳＳblock_index＝０，１，２，…，Ｌ−１である。
【０１０２】
ＷＴＲＵは、検出されたＳＳブロック時間インジケーションＳＳblock_indexからＳＦＮの第１のパートを導き出すことができる。たとえば、ＷＴＲＵは、以下の式を介して、検出されたＳＳブロック時間インジケーションからＳＦＮの第１のパートを導き出すことができる。
【０１０３】
【数１】
2020511029.tif 000003
【０１０４】
ＳＦＮの第１のパートは、０または１であることができる。
【０１０５】
ＷＴＲＵは、ＮＲ−ＰＢＣＨ信号をデスクランブルするおよび／またはＮＲ−ＰＢＣＨチャネルを復号することができる。ＷＴＲＵは、スクランブル符号および／またはスクランブル符号のシフトされたバージョンを使用して、ＮＲ−ＰＢＣＨ信号をデスクランブルすることができる。
【０１０６】
スクランブル符号は、スクランブル符号０，１，２，…，Ｚ−１であってよい。スクランブル符号０，１，２，…，Ｚ−１は、元のスクランブル符号と呼ばれることがある。
【０１０７】
スクランブル符号シフト（たとえば、Ｊ符号シフトを用いた）は、スクランブル符号Ｊ，Ｊ＋１，…，Ｚ−１，０，１，…，Ｊ−１であってよい。スクランブル符号シフトは、元のスクランブル符号のＪ符号循環シフトであってよい。
【０１０８】
ＷＴＲＵは、以下の式に基づいてＳＦＮの第２のパートのためのビットの数を決定する（たとえば、導き出す）ことができる。
【０１０９】
【数２】
2020511029.tif 000004
【０１１０】
ＷＴＲＵは、たとえば、以下の表（Ｊ＝４シフトを仮定する）によって、検出されたスクランブル符号シフトからＳＦＮの第２のパートのためのビット内容（たとえば、正確なビット内容）を決定する（たとえば、導き出す）ことができる。
【０１１１】
【表１】
2020511029.tif 000005
【０１１２】
Ｊ＝８の場合、ＳＦＮの第２のパートは、０００、００１、０１０、０１１、１００、１０１、１１０、および／または１１１であってよい。
【０１１３】
ＷＴＲＵは、ＮＲ−ＰＢＣＨペイロードからＳＦＮの第３のパートを取得することができる。ＳＦＮの第３のパートは、ＰＢＣＨによって搬送される（たとえば、明示的に搬送される）ＳＦＮビットに等しくてよい。
【０１１４】
ＷＴＲＵは、ＳＳブロックから導き出されたＳＦＮの第１のパート、スクランブル符号から導き出されたＳＦＮの第２のパート、および／またはＮＲ−ＰＢＣＨペイロード内で搬送されるＳＦＮの第３のパートを連結するおよび／または組み合わせることによって、ＳＦＮ（たとえば、ＳＦＮ全体）を獲得することができる。連結するおよび／または組み合わせることの一例が、図１０において表されている。
【０１１５】
たとえば、ｂx-1，…，ｂ1，ｂ0が、ＳＳブロックインデックスを介して取得される場合、ｂy-1，…，ｂ1，ｂ0が、検出されたスクランブル符号およびシフトを介して取得される場合、ならびに／またはｂz-1，…，ｂ1，ｂ0が、復号されたＰＢＣＨペイロードを介して取得される場合、ＳＦＮ（たとえば、ＳＦＮ全体）は、
ＳＦＮ＝  ｂz-1，…，ｂ1，ｂ0，ｂy-1，…，ｂ1，ｂ0，ｂx-1，…，ｂ1，ｂ0
であってよい。
【０１１６】
ＳＦＮビットの１つまたは複数の（たとえば、異なる）パートは、ＰＢＣＨペイロード、ＳＳブロックインデックス、ならびに／またはスクランブル符号およびシフトの１つまたは複数の（たとえば、異なる）組合せを介して取得されることがある。ＳＦＮビットの第１のパートは、検出されたスクランブル符号およびシフトを介して獲得されることがあり、ＳＦＮビットの第２のパートは、ＳＳブロックインデックスもしくは時間インデックスを介して獲得されることがあり、ならびに／またはＳＦＮビットの第３のパートは、たとえば、設計およびシステムパラメータに基づいて、ＰＢＣＨペイロードを介して獲得されることがある。獲得の一例が、図１１において表されている。ＳＦＮビットの１つまたは複数の（たとえば、異なる）パートは、たとえば、ＳＳブロックおよびＰＢＣＨ信号およびチャネルを検出および／または復号することによって、取得および／または獲得されることがある。ＳＦＮビットの１つまたは複数の（たとえば、異なる）パートは、連結および／または組み合わされて、ＳＦＮビットのセット（たとえば、最終的なセット）を形成することがある。
【０１１７】
ＳＳブロックインデックスは、ＰＢＣＨ内で搬送できる。たとえば、ＳＳブロックインデックスは、ペイロードにおいて明示的にＰＢＣＨ内で搬送されてよく、および／または信号内で暗黙的に搬送されてよい。たとえば、本明細書において提供されるように、明示的には、ＰＢＣＨ内ペイロードとして搬送できるビットの形をとるインジケーションを指すことができる。暗黙的には、信号の一部であるインジケーション、たとえば、信号の初期化および／または信号内のシフトであり、ペイロードの一部として含まれない（たとえば、明示的にこれを含む）を指すことができる。
【０１１８】
動作モードベースのシステムフレームが獲得できる。
【０１１９】
周期性（たとえば、ＳＳバーストセットのための周期性のセット）が使用されることがある。周期性は、ＳＳバーストセット送信のためのデフォルトの周期性として実行されることがある。デフォルトの周期性は、Ｎdefaultの無線フレームによって表記されてよい。周期性のセットは、Ｎadapt,1，Ｎadapt,2，…，Ｎadapt,Q無線フレームによって表記されてよい。
【０１２０】
ＷＴＲＵは、たとえば、デフォルトの周期性に基づいて、ＳＳブロックを検出することがある。たとえば、初期アクセスでは、ＷＴＲＵは、デフォルトの周期性に基づいてＳＳブロックを検出することがある。ＷＴＲＵは、以下の式を使用して、検出されたＳＳブロック時間インジケーションＳＳblock_indexからＳＦＮの第１のパートを導き出すことができる。
【０１２１】
【数３】
2020511029.tif 000006
【０１２２】
ＷＴＲＵは、デフォルトの周期性および／または周期性のセット内の周期性のうちの１つまたは複数を使用することがある。たとえば、アイドルモード中、ＷＴＲＵは、デフォルトの周期性および／または周期性のセット内の周期性のうちの１つまたは複数を使用することがある。ネットワークは、周期性をＷＴＲＵに示すことがある。ＷＴＲＵが、示された周期性を受信した後、ＷＴＲＵは、デフォルトの周期性を上書きすることがある。適応のためのそのような周期性は、ＮＲ−ＰＢＣＨを使用して示すことができる。ＮＲ−ＰＢＣＨは、周期性を示すために、１つまたは複数の（たとえば、少数の）ビットを搬送することがある。ＷＴＲＵは、更新された周期性を取得することがある。たとえば、ＷＴＲＵがＮＲ−ＰＢＣＨを復号した後、ＷＴＲＵは、更新された周期性を取得することがある。適応のためのそのような周期性は、最小システム情報を使用して示すことができる。
【０１２３】
ＷＴＲＵは、以下の式を使用して、検出されたＳＳブロック時間インジケーションＳＳblock_indexからＳＦＮの第１のパートを導き出すことができる。
【０１２４】
【数４】
2020511029.tif 000007
【０１２５】
ＲＲＣ接続モード中、ＷＴＲＵは、周期性のセット内の周期性のうちの１つまたは複数を使用することがある。ネットワークは、周期性をＷＴＲＵに示すことがある。ＷＴＲＵが、示された周期性を受信した後、ＷＴＲＵは、以前に使用された周期性を上書きすることがある。適応のためのそのような周期性は、専用シグナリング（たとえば、ＲＲＣシグナリング）を使用して示すことができる。ＲＲＣシグナリングは、ＷＴＲＵに専用の周期性を示すために、１つまたは複数の（たとえば、少数の）ビットを搬送することがある。
【０１２６】
ＷＴＲＵは、以下の式を使用して、検出されたＳＳブロック時間インジケーションＳＳblock_indexからＳＦＮの第１のパートを導き出すことができる。
【０１２７】
【数５】
2020511029.tif 000008
【０１２８】
確認を用いたシステムフレーム獲得が実行されることがある。
【０１２９】
システムフレーム番号は、たとえば、確認を用いて、獲得されることがある。図１２は、確認を用いた、例示的なシステムフレーム番号獲得を示す。以下のうちの１つまたは複数が実行されてよい。１２０２において、ＷＴＲＵは、ＳＳ信号を受信および／または検出することができる。１２０４において、ＷＴＲＵは、ＳＳバーストを受信および／または検出することができる。ＷＴＲＵは、１２０６において、受信されたＳＳバーストからＳＦＮの第１のパートを導き出すことができる。ＷＴＲＵは、１２０８において、ＮＲ−ＰＢＣＨ信号および／またはチャネルを受信することができる。１２１０では、ＷＴＲＵは、スクランブリング符号を検出することができる。ＷＴＲＵは、１２１２において、検出されたスクランブリング符号からＳＦＮの第１のパートを導き出すことができる。
【０１３０】
１２１４において、ＷＴＲＵは、ＳＦＮの第１のパート（たとえば、受信されたＳＳバーストから導き出されたＳＦＮの第１のパート）を比較することができる。受信されたＳＳバーストから導き出されたＳＦＮの第１のパートが、検出されたスクランブリング符号から導き出されたＳＦＮの第１のパートと同じでない場合、ＷＴＲＵは、１２０２において、ＳＳ信号を検出することができる。受信されたＳＳバーストから導き出されたＳＦＮの第１のパートが、検出されたスクランブリング符号から導き出されたＳＦＮの第１のパートと同じである場合、ＷＴＲＵは、１２１６において、ＳＦＮの第１のパートが正常に獲得されたことを確認することができる。
【０１３１】
ＷＴＲＵは、１２１８において、ＮＲ−ＰＢＣＨ信号および／またはチャネル（たとえば、ペイロード）からＳＦＮの第２のパートを導き出すことができる。１２２０において、ＷＴＲＵは、ＳＦＮ（たとえば、ＳＦＮ全体）を決定する（たとえば、獲得する）ことができる。たとえば、ＷＴＲＵは、ＳＦＮの第１のパート（たとえば、ＳＳブロック内で示される）およびＳＦＮの第２のパート（たとえば、ＮＲ−ＰＢＣＨ内の信号および／またはペイロードなど、ＮＲ−ＰＢＣＨ内で示すことができる）を組み合わせることによって、ＳＦＮを獲得することができる。
【０１３２】
確認を用いたシステムフレーム番号獲得の例が、以下のように実行されることがある。たとえば、システムフレーム番号またはシステムフレーム番号の一部分が、ＷＴＲＵに伝えられることがある。システムフレーム番号は、１つまたは複数の様式（たとえば、同時に複数の様式）でＷＴＲＵに伝えられることがある。システムフレーム番号は、たとえば、ＰＢＣＨに使用されるスクランブリング系列またはスクランブリング符号によって、ＷＴＲＵに伝えられることがある。システムフレーム番号は、ＰＢＣＨペイロードによって同時にＷＴＲＵに伝えられることがある。ビットは、ＷＴＲＵに伝えられることがある。たとえば、偶数または奇数のビットが、ＷＴＲＵに伝えられることがある。システムフレーム番号のための同じまたは異なるビットが、（たとえば、１つまたは複数の様式を使用して）ＷＴＲＵに伝えられることがある。たとえば、Ｘビットシステムフレーム番号が、（たとえば、ＰＢＣＨペイロードを介して）ＷＴＲＵに伝えられることがあり、Ｙビットシステムフレーム番号が、（たとえば、ＰＢＣＨスクランブリングを介して）ＷＴＲＵに伝えられることがある。Ｘは１０ビットであってよく、Ｙは、２ビットであってもよいし、３ビットであってもよいし、４ビットであってもよい。Ｙは、Ｘのサブセットであってよい。たとえば、システムフレーム番号のためのビットの一部分（たとえば、第１の部分）が、（たとえば、スクランブリング系列または符号を介して）ＷＴＲＵに伝えられることがあり、システムフレーム番号のためのビットの別の部分（たとえば、第２の部分）は、（たとえば、ＰＢＣＨペイロードを介して）ＷＴＲＵに伝えられることができる。システムフレーム番号のためのビットの第１の部分と第２の部分が、重複する（たとえば、完全に重複するまたは部分的に重複する）ことがある。システムフレーム番号のためのビットの第１の部分と第２の部分は、重複しないことがある。システムフレーム番号のためのビットの第１の部分と第２の部分が完全に重複するとき、システムフレーム番号のためのビットの第１の部分と第２の部分は同じであってよい。システムフレーム番号のためのビットの第１の部分と第２の部分が部分的に重複するとき、システムフレーム番号のためのビットの第１の部分と第２の部分のいくらかは同じであってよい。システムフレーム番号のためのビットの第１の部分と第２の部分が重複しないとき、システムフレーム番号のためのビットの第１の部分と第２の部分は同じでなくてよい。システムフレーム番号のためのビットの部分が同じであることは、確認のために使用されることがある。
【０１３３】
図１３は、確認を用いた、システムフレーム番号獲得の例を示す。１３０２では、ＷＴＲＵは、ＳＳ信号を検出することができる。１３０４では、ＷＴＲＵは、ＳＳバーストおよび／またはＳＳブロックを検出することができる。ＷＴＲＵは、１３０６において、ＳＦＮのＬＳＢを導き出すことができる。たとえば、ＷＴＲＵは、受信されたＳＳバーストおよび／またはＳＳブロックからＳＦＮのＬＳＢを導き出すことができる。１３０８において、ＷＴＲＵは、スクランブリング符号を検出することがある（たとえば、同時に検出することがある）。ＷＴＲＵは、１３１０において、検出されたスクランブリング符号からＳＦＮのＬＳＢを導き出すことができる。
【０１３４】
１３１２において、ＷＴＲＵは、受信されたＳＳバーストから導き出されたＳＦＮのＬＳＢおよび／または検出されたスクランブリング符号から導き出されたＳＦＮのＬＳＢを比較することができる。１３１４において、ＳＦＮのＬＳＢ（たとえば、ＳＳブロックまたはバースト内のＰＢＣＨペイロードからなどの、受信されたＳＳブロックまたはＳＳバーストから導き出された）が、検出されたスクランブリング符号から導き出されたＳＦＮのＬＳＢと同じでない場合、ＷＴＲＵは、１３０２において、ＳＳ信号を検出することができる。１３１４において、ＳＦＮのＬＳＢ（たとえば、ＳＳブロックまたはＳＳバースト内のＰＢＣＨペイロードからなどの、受信されたＳＳブロックまたはＳＳバーストから導き出された）が、検出されたスクランブリング符号から導き出されたＳＦＮのＬＳＢと同じでない場合、ＷＴＲＵは、ＳＦＮのＬＳＢが正常に獲得されたことを確認する。ＷＴＲＵは、１３１６において、ＮＲ−ＰＢＣＨ信号および／またはチャネルを受信することができる。ＷＴＲＵは、１３１８において、ＮＲ−ＰＢＣＨ信号および／またはチャネル（たとえば、ＳＳブロックまたはＳＳバースト内のＰＢＣＨペイロードから）からＳＦＮのＭＳＢを導き出すことができる。ＷＴＲＵは、１３２０において、ＳＦＮ（たとえば、ＳＦＮ全体）を獲得することができる。たとえば、ＷＴＲＵは、ＳＳブロックまたはＳＳバースト内で示されたＬＳＢとＮＲ−ＰＢＣＨ信号および／またはチャネル内で示されるＭＳＢを組み合わせることによって、ＳＦＮを獲得することができる。
【０１３５】
ＳＳブロックまたはＳＳバーストは、ＰＳＳ、ＳＳＳ、および／またはＰＢＣＨのうちの１つまたは複数を含むことがある。ＰＢＣＨは、ＰＢＣＨペイロードおよび／またはＰＢＣＨデータ復調基準信号（ＤＭＲＳ）を含むことがある。ＰＢＣＨペイロードまたはビットは、たとえば、スクランブリング系列または符号を用いて、スクランブルされることがある。スクランブリング系列は、セルＩＤに基づいて（たとえば、全体的にまたは部分的に基づいて）よい。スクランブリング系列または符号は、セルＩＤの関数であってもよいし、セルＩＤおよび他のＩＤおよび／またはインデックスの関数であってもよい。たとえば、スクランブリング系列または符号は、セルＩＤおよび／またはタイミング情報の関数であってよい。スクランブリング系列または符号は、セルＩＤおよび／またはタイミング情報インデックス（たとえば、ＳＳブロックインデックス、ＳＦＮなど）によって決定されることがある。
【０１３６】
１つまたは複数のＳＦＮ獲得は、たとえば、システム性能を最適化するために、１つまたは複数のＳＳバーストセット周期性に使用されてよい。たとえば、ＳＦＮ獲得は、周期性とともに使用されるおよび／またはこれと関連づけられることがあり、および／または別のＳＦＮ獲得は、別の周期性とともに使用されるおよび／またはこれと関連づけられることがある。
【０１３７】
周期性適応を用いた、ＳＳ周期性ベースのシステムフレーム獲得が実行されることがある。
【０１３８】
図１３Ａ、図１３Ｂは、周期性適応を用いた、システムフレーム獲得のための例示的なフローを示す。図１３Ａ、図１３Ｂは、周期性適応を用いた、システムフレーム獲得と関連づけできる特徴を説明する。たとえば、特徴は、以下のうちの１つまたは複数を含んでよい。
【０１３９】
１３５０では、ＷＴＲＵは、ＳＳブロックバーストとして信号を検出および／または受信することができる。１３５２では、ＷＴＲＵは、ＳＳバーストセット周期性の適応（たとえば、適応情報）が受信されるかどうかを決定することができる。ＷＴＲＵは、ＳＳバーストセット周期性の適応情報を受信し、ならびに／または１３５４において、ＮＲ−ＰＢＣＨ、最小システム情報、および／もしくはＲＲＣシグナリングからＳＳブロックを送信することができる。たとえば、ＷＴＲＵは、適応情報を取得および／または決定するために、ＮＲ−ＰＢＣＨ、最小システム情報、および／またはＲＲＣシグナリングを受信することがある。ＷＴＲＵは、ＳＳバーストセット周期性を適応および／または更新するために、ＮＲ−ＰＢＣＨ、最小システム情報、および／またはＲＲＣシグナリングから適応情報を受信することができる。
【０１４０】
適応が受信されない場合、ＷＴＲＵは、デフォルトの周期性（たとえば、デフォルトのＳＳ周期性）を検出に使用することができる。たとえば、デフォルトのＳＳバーストセット周期性は２０ｍｓであってよく、および／またはＮdefaultは２つの無線フレームに等しくてよい。無線フレームは１０ｍｓであってよい。
【０１４１】
適応が受信された場合、１３６８において、周期性のあらかじめ定義されたセットが使用できる。周期性のあらかじめ定義されたセットは、｛５ｍｓ，１０ｍｓ，２０ｍｓ，４０ｍｓ，８０ｍｓ，１６０ｍｓ｝であってよく、および／またはＮadaptは｛０．５，１，２，４，８，１６｝に等しくてよい。
【０１４２】
周期性は、短くてもよいし、長くてもよい。周期性は、デフォルトであってよい。
【０１４３】
周期性の適応が受信されない場合、１３５６において、ＷＴＲＵは、デフォルトのＳＳバーストセット周期性を使用することができる。１３５８では、デフォルトのＳＳバーストセット周期性の間、ＳＦＮの一部（たとえば、第１のパート）が導き出されることがある。たとえば、ＳＦＮの一部（たとえば、第１のパート）は、受信されたＳＳブロックおよび／またはＳＳバーストから導き出されることがある。ＷＴＲＵは、ＳＳブロックインデックスまたは時間インデックスからＳＦＮの第１のパートを導き出すことがある。ＳＳブロックインデックスまたは時間インデックスは、ＮＲ−ＰＢＣＨ  ＤＭＲＳによって示される（たとえば、暗黙的に示される）ことがある。ＷＴＲＵは、ＮＲ−ＰＢＣＨ  ＤＭＲＳから（たとえば、これから直接的に）ＳＦＮの第１のパートを導き出すことがある。ＷＴＲＵは、ＮＲ−ＰＢＣＨによって示される（たとえば、明示的に示される）ＳＳブロックインデックスまたは時間インデックスから、ＳＦＮの第１のパートを導き出すことがある。ＷＴＲＵは、たとえば、（たとえば、必要とされる場合）ＳＳブロックインデックスまたは時間インデックスを取得するために、ＮＲ−ＰＢＣＨを復号することができる。ＳＦＮ＿１は、ｆｌｏｏｒ（Ｎｄｅｆａｕｌｔ×ＳＳＢｌｏｃｋＩＤ／Ｌ）に等しいことがある。１３６０において、ＷＴＲＵは、ＮＲ−ＰＢＣＨを検出、デスクランブル、および／または復号することができる。１３６２では、ＷＴＲＵは、ＳＦＮの第２のパートを導き出すことができる。たとえば、ＷＴＲＵは、スクランブリング符号および／またはシフトからＳＦＮの第２のパートを導き出すことがある（ＳＦＮ＿２）。ＷＴＲＵは、表２に従うことができる。
【０１４４】
【表２】
2020511029.tif 000009
【０１４５】
１３６４では、ＷＴＲＵは、ＳＦＮの第３のパートを導き出すことができる。たとえば、ＷＴＲＵは、ＰＢＣＨペイロードからＳＦＮの第３のパートを導き出すことがある（ＳＦＮ＿３）。１３６６では、ＳＦＮのパート（たとえば、３つのパート）は、組み合わせることができる。たとえば、ＳＦＮのパート（たとえば、３つのパート）は、ＳＦＮ全体［ＳＦＮ＿３、ＳＦＮ＿２、ＳＦＮ＿１］を生成するために組み合わされることがある。
【０１４６】
周期性の適応が受信されることがある。周期性の適応が受信された場合、ＷＴＲＵは、１３７０において、周期性が長いか短いかどうかを決定することができる。ＷＴＲＵは、周期性がデフォルトであるかどうかを決定することができる。
【０１４７】
短い周期性適応の場合、以下のうちの１つまたは複数が適用されることがある。短い周期性適応の場合、ＷＴＲＵは、１３７２において、ＮＲ−ＰＢＣＨを検出、デスクランブル、および／または復号することができる。短い周期性適応の場合、ＷＴＲＵは、１３７４において、本明細書において説明されるように、スクランブリング符号および／またはシフトからＳＦＮの第１のパートを導き出すことができる（ＳＦＮ＿１）。短い周期性適応の場合、ＷＴＲＵは、１３７６において、ペイロードＰＢＣＨからＳＦＮの第２のパートを導き出すことができる（ＳＦＮ＿２）。１３７８では、２つのパートは、組み合わせることができる。たとえば、２つのパートは、ＳＦＮ［ＳＦＮ＿２、ＳＦＮ＿１］（たとえば、ＳＦＮ全体［ＳＦＮ＿２、ＳＦＮ＿１］）を生成するために組み合わされることがある。
【０１４８】
長い周期性適応の場合、以下のうちの１つまたは複数が適用されることがある。長い周期性適応の場合、ＷＴＲＵは、１３８０において、受信されたＳＳブロックまたはＳＳバーストからＳＦＮの第１のパートを導き出すことができる。たとえば、ＷＴＲＵは、ＮＲ−ＰＢＣＨ  ＤＭＲＳによって示される（たとえば、暗黙的に示される）ＳＳブロックインデックスまたは時間インデックスから、ＳＦＮの第１のパートを導き出すことがある。ＷＴＲＵは、ＮＲ−ＰＢＣＨ  ＤＭＲＳから（たとえば、これから直接的に）ＳＦＮの第１のパートを導き出すことがある。ＷＴＲＵは、ＮＲ−ＰＢＣＨによって示される（たとえば、明示的に示される）ＳＳブロックインデックスまたは時間インデックスから、ＳＦＮの第１のパートを導き出すことがある。ＷＴＲＵは、１３８２において、ＮＲ−ＰＢＣＨを復号することができる。ＷＴＲＵは、たとえば、（たとえば、必要とされる場合）ＳＳブロックインデックスまたは時間インデックスを取得するために、ＮＲ−ＰＢＣＨを復号することができる。長い周期性適応の場合、ＳＦＮ＿１は、ｆｌｏｏｒ（Ｎａｄａｐｔ，ｉ×ＳＳＢｌｏｃｋＩＤ／Ｌ）に等しいことがある。長い周期性適応の場合、ＷＴＲＵは、ＮＲ−ＰＢＣＨを検出、デスクランブル、および／または復号することができる。長い周期性適応の場合、ＷＴＲＵは、１３８４において、ＰＢＣＨペイロードからＳＦＮの第２のパートを導き出すことができる（ＳＦＮ＿２）。１３８６では、パート（たとえば、２つのパート）は、ＳＦＮ全体［ＳＦＮ＿２、ＳＦＮ＿１］を生成するために組み合わせることができる。
【０１４９】
デフォルトの周期性適応の場合、ＷＴＲＵは、本明細書において説明されるように実行することができる。たとえば、デフォルトの周期性適応の場合、ＷＴＲＵは、周期性の適応が受信されなかった場合に説明されたように実行されてよい。以下のうちの１つまたは複数が適用されてよい。
【０１５０】
インジケータは、５ｍｓタイミングインジケーションを識別および／もしくは獲得するために使用されることがあり、境界および／またはＮadaptは、０．５無線フレームタイミングインジケーションに等しくてよい。インジケータは、１ビットインジケータであってよい。インジケータは、ＮＲ−ＰＢＣＨ、残りの最小システム情報（ＲＭＳＩ）、および／またはＲＲＣシグナリングによって搬送できる。インジケータ（たとえば、１ビットインジケータ）は、ＮＲ−ＰＢＣＨ  ＤＭＲＳなどのＤＭＲＳを介して示され（たとえば、暗黙的に示され）てよい。
【０１５１】
ＳＦＮは、以下のうちの１つまたは複数から導き出されてよい。ＳＦＮは、ＰＢＣＨ−ＤＭＲＳから導き出されてよい。ＳＦＮは、ＳＳブロックインデックスおよび／またはＳＳブロックタイミングインデックスから導き出されてよい。ＳＦＮは、スクランブリング符号から導き出されてよい。ＳＦＮは、ＰＢＣＨペイロードから導き出されてよい。ＳＦＮは、ＣＲＣマスキングから導き出されてよい。
【０１５２】
本明細書において説明される特徴（たとえば、解決策）は、ハイパーＳＦＮ（Ｈ−ＳＦＮ）に適用されてよい。
【０１５３】
１つまたは複数のＳＳ信号および／または系列特徴が実行されてよい。
【０１５４】
１つまたは複数のＳＳ系列（たとえば、ＳＳバーストをもつ）が、Ｚａｄｏｆｆ−Ｃｈｕ系列などを使用して実行されることがある。系列長は、１つもしくは複数の（たとえば、異なる）ＳＳ帯域幅および／またはＦＦＴの１つもしくは複数の（たとえば、異なる）サイズに対応および／またはこれを検証するために選択されることがある。たとえば、長さ６３のＺａｄｏｆｆ  Ｃｈｕ（ＺＣ６３）、長さ１２７のＺａｄｏｆｆ  Ｃｈｕ（ＺＣ１２７）、および／または長さ２７７のＺａｄｏｆｆ  Ｃｈｕ（ＺＣ２５５）である。
【０１５５】
系列長（たとえば、各系列長）の場合、ルート（root）が選択できる。たとえば、ルートは、ＳＳ信号および／またはバースト検出の最も良い性能が達成できるように選択できる。以下のうちの１つまたは複数が、たとえば、ルートのために実行されてよい。ルートの値は、１からＮ−１まで変化することができる。Ｎは、Ｚａｄｏｆｆ−Ｃｈｕ系列の長さであってよい。ＺＣ系列は、式ｚｃＳｅｑ（ｎ＋１）＝ｅｘｐ（−ｊ×（ｐｉ×ルート×ｎ×（ｎ＋１））／Ｎ）を使用して生成できる。「ｎ」は、値が計算される標本点であってよく、および／または「Ｎ」は、系列の長さであってよい。「ルート」は、系列を生成するために使用されるルートであってよい。検出の閾値は、ルートに関して計算されてよい。ルートの計算は、０ｄＢのＳＮＲでの加法性白色ガウス雑音（ＡＷＧＮ）チャネルにおけるシミュレーションを使用して実行されることがある。系列は、送信機から送信されないことがあり、および／または受信機は、チャネルから受信されたデータの相関を決定する（たとえば、計算する）ことがある。検出閾値が選択されることがあり、および／または検出閾値は、０．１に等しいフォールスアラームの確率を与えることがある。ＰＳＳ送信は、ＣＤＬチャネルモデル内で実行されることがある。キャリア周波数オフセット（ＣＦＯ）の１百万分率（ＰＰＭ）が、チャネルモデルを通過した後、データに追加されることがある。ＳＮＲの１つまたは複数の（たとえば、異なる）値におけるＡＷＧＮが使用されてよい。受信されたデータは、ＰＳＳ系列複製と相関づけられてよい。最も高いピークは、選択された閾値と比較されてよい。最も高いピークを選択された閾値と比較することが、ＳＮＲ（たとえば、選択されたＳＮＲ）における検出の確率を決定することができる。Ｚａｄｏｆｆ  Ｃｈｕ系列に関する検出対選択されたルートの確率がプロットできる。ルートが選択されてよい。たとえば、最も良い検出性能をもつルートが選択されることがある。最も良い検出性能をもつルートを選択することは、たとえば、１ＰＰＭ  ＣＦＯ事例において、増加されたＳＮＲを伴う検出の確率の非フロアリング（no-flooring）がなかったことを示すことがある。
【０１５６】
図１４は、ＺＣ２５５系列のための性能を例示する。低ＳＮＲにおける性能は、ルートのうちの１つまたは複数（たとえば、すべて）に関して一致することがある。より高いＳＮＲ（たとえば、追加されたＣＦＯを伴う）では、ルートのうちのいくつかは、フロアリング（flooring）性能を示すことがあり、および／または不十分に実行することがある。たとえば、図１４に示される例では、選択されたルート１が最も良く実行した。図１５に示されるように、６２というルート値が、ＺＣ１２７のために選択されることがある。図１４に示されるように、１というルート値が、ＺＣ２５５のために選択されることがある。ＺＣ６３系列の場合、ＬＴＥにおいて選択されたルートの１つ（たとえば、ルートインデックス番号またはルートインデックス２９）が使用されることがある。
【０１５７】
図１４および図１５はそれぞれ、ＺＣ２５５系列および／またはＺＣ１２７系列のための例示的な性能を例示する。低ＳＮＲにおける性能は、ルートのうちの１つまたは複数（たとえば、すべて）に関して一致することがある。より高いＳＮＲ（たとえば、追加されたＣＦＯを伴う）では、ルートのうちの１つまたは複数は、フロアリング性能を示すことがあり、および／または不十分に実行することがある。図１４に示されるように、ルート１は、ＺＣ２５５のために最も良く実行した。他のルートは、１２３および／または１６５を含むことができる。図１５に示されるように、最も良い性能を与えたルートは、ＺＣ１２７のための６２、６５、および／または７５である。
【０１５８】
図１５に示されるように、６２というルート値が、ＺＣ１２７のために選択されることがある。図１４に示されるように、１というルート値が、ＺＣ２５５のために選択されることがある。ＺＣ６３系列の場合、（たとえば、ＬＴＥにおいて）選択されたルートの１つ、たとえば、ルートインデックス番号またはルートインデックス２９が使用されることがある。
【０１５９】
系列（たとえば、基本系列）は、以下のうちの１つまたは複数を含んでよい。ルートインデックス６２はＺＣ１２７に使用されてよく、および／またはルートインデックス１はＺＣ２５５に使用されてよい。ルートインデックス６５および／または７５は、ＺＣ１２７に使用されてよい。ルートインデックス１２３および１６５は、ＺＣ２５５に使用されてよい。
【０１６０】
系列（たとえば、基本系列）は、周波数繰り返し、時間繰り返し、ならびに／または周波数および時間繰り返しを使用して、より長い系列を構築するために、基本構成要素として使用されてよい。
【０１６１】
１つまたは複数の（たとえば、異なる）ＰＳＳ系列は、１つもしくは複数の（たとえば、３つの）基本系列（たとえば、選択されたルートを使用する）および／または１つもしくは複数の（たとえば、異なる）繰り返しパターンを使用して、構築されることがある。１つもしくは複数の基本系列（たとえば、選択されたルートを使用する）および／または１つもしくは複数の繰り返しパターンを使用して１つまたは複数のＰＳＳ系列を構築することは、以下のうちの１つまたは複数を含んでよい。ＦＦＴサイズ、系列長、および／または繰り返しの数のための１つまたは複数のゼロは、計算されてよい。ｚｐＬｅｎ＝ｆｌｏｏｒ（（ｎＦＦＴ−ｚｃＳｅｑＬｅｎ×ｚｃＲｅｐ−１）／２）であり、ここで、ｚｐＬｅｎは、系列の１つまたは複数の（たとえば、どちらかの）辺に対するゼロパディングの長さであってよい。ｎＦＦＴはＦＦＴサイズであってよい。ｚｃＳｅｑＬＥｎは、ＺＣ系列の長さであってよい。ｚｃＲｅｐは、ＺＣ系列の繰り返しの数であってよい。１は、ＤＣに相当してよい。
【０１６２】
繰り返しを伴う構造が実行されることがある。
【０１６３】
繰り返しが実行されない場合、長さＬ＝（ｚｃＳｅｑＬｅｎ−１）／２が計算されてよい。第１の長さＬ（１：Ｌ）シンボルは、選択された系列のシンボルであってよく、および／または（たとえば、ＤＣ副搬送波の側の）Ｌ副搬送波にマップされてよい。最後の長さＬシンボル（Ｌ＋２：ｚｃＳｅｑＬｅｎ）は、選択された系列のシンボルであってよく、および／または（たとえば、ＤＣ副搬送波の側（たとえば、別の側）の）Ｌ副搬送波にマップされてよい。１つまたは複数の（たとえば、２つの）側におけるＤＣのためのゼロおよび／またはゼロパディングが、たとえば、系列（たとえば、最終系列）を構築するために、挿入されることがある。最終系列を構築するために１つまたは複数の（たとえば、２つの）側に対してＤＣおよび／またはゼロパディングのためのゼロを挿入することの一例が、図１６に示されることができる。
【０１６４】
系列（たとえば、同じ系列）が、ＤＣ副搬送波の１つまたは複数の（たとえば、どちらかの）側に対して使用されることがある。たとえば、１つまたは複数の系列（たとえば、２つの系列）の繰り返しが実行される場合、系列（たとえば、同じ系列）が、ＤＣ副搬送波の１つまたは複数の（たとえば、どちらかの）側に対して使用されることがある。ＤＣ副搬送波の１つまたは複数の（たとえば、どちらかの）側に対して系列（たとえば、同じ系列）を使用することの例が、図１７に示されることができる。
【０１６５】
４つの繰り返しが実行される場合、系列（たとえば、同じ系列）は、ＤＣ副搬送波の各側に対して２回使用されてよい。ＤＣ副搬送波の各側に対して系列（たとえば、同じ系列）を使用することの例が、図１８に示されている。
【０１６６】
例示的なｎｅｗ  ｒａｄｉｏ（ＮＲ）−セカンダリ同期信号（ＳＳＳ）設計が図１９に表されている。
【０１６７】
１９０２では、ＳＳＳ系列が生成できる。ＳＳＳ系列はＮＲ−ＳＳＳであってよい１９０４。ＳＳＳ系列は、１つまたは複数のＭ系列を使用して生成されてよい。たとえば、ＳＳＳは、２つのＭ系列のＸＯＲを使用して生成されることがある。以下のうちの１つまたは複数が適用されてよい。多項式が、ｍ系列に対して定義されることがある。たとえば、２つの生成多項式が、ｍ系列に対して定義されることがある。循環シフト（たとえば、巡回シフト）が、ｍ系列に適用されることがある。たとえば、循環シフト（たとえば、巡回シフト）が、セルＩＤ（たとえば、ＮＲ−セルＩＤ）に従ってｍ系列に適用されることがある。ＳＳＳ（たとえば、ＮＲ−ＳＳＳ）系列は、Ｎ１循環シフト（たとえば、巡回シフト）を伴う多項式および／またはＮ２循環シフト（たとえば、巡回シフト）を伴う多項式を使用して生成されることがある。たとえば、Ｎ１は１２７に等しいことがあり、および／またはＮ２は９に等しいことがある。２つの多項式に関する例示的な多項式は、ｆ０（ｘ）＝ｘ7＋ｘ4＋１および／またはｆ１（ｘ）＝ｘ7＋ｘ＋１である。２つの多項式に関する多項式は、代替形態および／または最適化に使用されることがある。初期状態（たとえば、ＮＲ−ＳＳＳなどのＳＳＳの初期状態）は、００００００１であってよい。２つの（たとえば、２つの異なる）Ｍ系列（たとえば、同じ長さのＭ系列）が、２つの（たとえば、２つの異なる）多項式（たとえば、同じ次数の多項式）とともに生成されることがある。１０００（たとえば、約１０００）のセルＩＤが、示されるおよび／または使用されることがある。セルＩＤ（たとえば、示されるおよび／または使用されるセルＩＤ）は、ｎＣｅｌｌＭａｘと呼ばれることがある。セルＩＤは、１つまたは複数の（たとえば、異なる）様式において示されるおよび／または使用されてよい。
【０１６８】
２つの（たとえば、２つの異なる）多項式（たとえば、同じ次数の多項式）を用いて生成された２つの（たとえば、２つの異なる）Ｍ系列（たとえば、同じ長さのＭ系列）の場合、以下のうちの１つまたは複数が適用されることがある。
【０１６９】
Ｍ系列（たとえば、異なるＭ系列）は、多項式（たとえば、既約原始多項式）から構築可能である。たとえば、Ｍ系列（たとえば、異なるＭ系列）は、あらかじめ定義された次数（たとえば、度）に関して、多項式（たとえば、既約原始多項式）から構築可能である。たとえば、次数７の場合、利用可能な１８の（たとえば、１８の異なる）多項式があることがある。多項式は、８進値によって表されてよい。たとえば、多項式は、以下の８進値、すなわち、２０３、２１１、２１７，２２１、２３５、２４７、２５３、２７１、２７７、３０１、３１３、３２３、３２５、３４５、３５７、３６１、３６７、３７５によって表されてよい。
【０１７０】
セット（たとえば、多項式のセット）からの多項式（たとえば、２つの多項式）の１つまたは複数の組合せが使用されてよい。１つまたは複数の多項式（たとえば、既約原始多項式）が使用されてよい。たとえば、多項式（たとえば、既約原始多項式）のペア（たとえば、好ましいペア）の組合せが使用されてよい。たとえば、多項式（たとえば、既約原始多項式）のペア（たとえば、好ましいペア）の組合せが、ゴールド符号となることがある。
【０１７１】
Ｍ系列は長さ１２７であってよく、および／または多項式は次数７であってよい（たとえば、２１７および２１１。これらは、ゴールド符号を生成するために、好ましいペアなどの、ペアであってよい）。
８進２１７は２進１０００１１１１であってよく、これは、
【０１７２】
【数６】
2020511029.tif 000010
【０１７３】
に変換できる。８進２１１は２進１０００１００１であってよく、これは、
【０１７４】
【数７】
2020511029.tif 000011
【０１７５】
に変換できる。両方に対する初期化
ｘ（０）＝０、ｘ（１）＝０、ｘ（２）＝０、ｘ（３）＝０、ｘ（４）＝０、ｘ（５）＝０、ｘ（６）＝１。
可能な組合せは、［２２１，２０３］とすることができる。組合せはそれぞれ、多項式ｆ０（ｘ）＝ｘ7＋ｘ4＋１およびｆ１（ｘ）＝ｘ7＋ｘ＋１に対応することができる。
【０１７６】
１０００（たとえば、約１０００）のセルＩＤが、示される（たとえば、決定される）ことがある。示されるセルＩＤは、ｎＣｅｌｌＭａｘと呼ばれることがある。セルＩＤは、１つまたは複数の（たとえば、１つまたは複数の異なる）様式において示されてよい。以下のうちの１つまたは複数が適用されてよい。
【０１７７】
セルＩＤは、ＳＳＳ（たとえば、ＳＳＳのみ）によって示される（たとえば、決定される）ことがある。１つまたは複数の循環シフト（たとえば、巡回シフト）パラメータは、関数（セルＩＤ）に等しくてよい。たとえば、［ｍ０，ｎ１］は、関数（セルＩＤ）に等しくてよい。循環シフト（たとえば、巡回シフト）パラメータ（たとえば、ｍ０）は、１つまたは複数の（たとえば、異なる）値に設定されてよい。図１９に示されるように、１つまたは複数の循環シフトパラメータ（たとえば、循環シフトパラメータの値）は、循環シフトの１つまたは複数のセット（たとえば、巡回シフトのセット）から決定できる。たとえば、循環シフトパラメータ（たとえば、ｍ０）は、循環シフトのセット（たとえば、０からｐ−１）から決定されて（たとえば、設定されて）よい。図１９に示されるように、ｍ０の場合の循環シフトのセットは、１１２の値を含むことがある。ｓ１は、ｍ０の分だけ循環シフトされる（たとえば、巡回シフトされる）ことがある。たとえば、
【０１７８】
【数８】
2020511029.tif 000012
【０１７９】
である。図１９に示されるように、別の循環シフト（たとえば、巡回シフト）パラメータ（たとえば、ｎ１）は、１つまたは複数の（たとえば、異なる）値に設定されてよい。１つまたは複数の値は、循環シフトのセットであってよい。図１９に示されるように、ｎ１の場合の循環シフトのセットは、３つの値を含むことがある。循環シフト（たとえば、ｎ１）は、たとえば、循環シフト（たとえば、ｍ０）が設定される循環シフトのセットと異なることがある、循環シフトのセットから決定されることがある。たとえば、ｎ１は、０からｃｅｉｌ（ｎＣｅｌｌＭａｘ／ｐ）の値（たとえば、いくつかまたはすべての値）に設定されてもよいし、０からｆｌｏｏｒ（ｎＣｅｌｌＭａｘ／ｐ）の値（たとえば、いくつかまたはすべての値）に設定されてもよいし、他の値に設定されてもよい。ｓ２は、ｎ１の分だけ巡回シフトされることがある。たとえば、
【０１８０】
【数９】
2020511029.tif 000013
【０１８１】
である。
【０１８２】
ｍ０は、０〜１２６（たとえば、１２７の循環シフト）のいくつかまたはすべての値に設定されてよく、および／またはｎ１は、０：８（たとえば、９つの循環シフト）からのいくつかまたはすべての値に設定されてよい。たとえば、ＳＳＳ（たとえば、ＮＲ−ＳＳＳ）系列は、１２７の循環シフトを伴う多項式および／または９の循環シフトを伴う多項式を使用して、生成されることがある。ｍ０は０〜３２に設定されてよく、および／またはｎ１は０：３２に設定されてよい。ｍ０および／またはｎ１は、たとえば、１つまたは複数の組合せに設定されることがあり、この組合せは、あらかじめ定義されてもよいし、および／または受信機に知られてもよい。
【０１８３】
セルＩＤは、ＰＳＳおよび／またはＳＳＳの１つまたは複数の組合せに基づいて決定され（たとえば、示され）てよい。たとえば、セルＩＤは、ＰＳＳおよび／またはＳＳＳの１つまたは複数の組合せによって搬送される１つまたは複数のセルＩＤに基づいて決定され（たとえば、示され）てよい。［ｍ０，ｍ１，ＮＩＤ２］は、関数（セルＩＤ）に等しいことがある。１つまたは複数の（たとえば、３つの）ＮＩＤ２は、ＰＳＳによって示されることがある。ＮＩＤ２は、ＰＳＳ（たとえば、ＮＲ−ＰＳＳ）によって搬送されるセルＩＤであることがある。たとえば、１つまたは複数の（たとえば、３つの）セルＩＤが、ＰＳＳによって搬送されることがある。ｃｅｉｌ（ｎＣｅｌｌＭａｘ．／３）は、ｓ１およびｓ２のｍ０シフトおよびｍ１シフトを使用して設定されることがある。ｎＣｅｌｌＭａｘ＝１００８の場合、ｃｅｉｌ（ｎＣｅｌｌＭａｘ．／３）は３３６に等しくてよい。１９０６において示されるように、ＮＩＤ１のための範囲は［０，３３５］であってよい。ＮＩＤ１は、ＳＳＳ（たとえば、ＮＲ−ＳＳＳ）によって搬送されるセルＩＤであることがある。
【０１８４】
循環シフトパラメータ（たとえば、ｍ０）は、１つまたは複数の値に設定されることがある。たとえば、ｍ０は、オフセットありまたはオフセットなしで０からｐ−１に設定されることがある。オフセットは、固定されてもよいし、オフセットは、本明細書において説明されるように、ｍ１およびＮＩＤ２の関数であってもよい。ｓ１は、ｍ０の分だけ巡回シフトされることがある。たとえば、
【０１８５】
【数１０】
2020511029.tif 000014
【０１８６】
である。ｍ１は、１つまたは複数の値に設定されてよい。たとえば、ｍ１は、０からｃｅｉｌ（ｎＣｅｌｌＭａｘ／（３×ｐ））−１の値に設定されてもよいし、０からｆｌｏｏｒ（ｎＣｅｌｌＭａｘ／（３×ｐ））の値に設定されてもよいし、他の値に設定されてもよい。ｓ２は、ｎ１の分だけ巡回シフトされることがある。ｎ１は、ｍ１に等しくてもよいし、ｍ１の関数であってもよいし、ｍ１および１つまたは複数の他のパラメータの関数であってもよい。たとえば、ｎ１＝関数（ｍ１，ＮＩＤ２）である。たとえば、
【０１８７】
【数１１】
2020511029.tif 000015
【０１８８】
である。
【０１８９】
ｍ０＝０から１１１が、使用されてよい。ｐは１１２に等しくてよい。たとえば、ｐは、０〜３３５の均等な分布の場合、１１２に等しいことがある。ｍ１は、０、１、２に等しいことがある。ＮＩＤ２は、１９０８に示されるように、０、１、２に等しいことがある。オフセットの場合、ｍ０＝ｍ０＋オフセットであり、オフセットはｎ１＋１であってよい。（たとえば、１００８のセルＩＤと仮定すると、）１１２のシフト（たとえば、異なるシフト）が第１の系列に使用されることがあり、および／または９つのシフト（たとえば、異なるシフト）が第２の系列に使用されることがある。
【０１９０】
ｍ０は、０から１２６に設定されてよく（たとえば、ｐ＝１２７）、ｍ１は、０、１、２に設定されてよく、および／またはＮＩＤ２は０、１、２に設定されてよい。オフセットの場合、ｍ０は、ｍ０＋オフセットに等しくてよい。オフセットはｎ１＋１であってよい。［１２７，１２７，８２］シフトは、たとえば、第２の系列のための異なるシフト（たとえば、３つの異なるシフト）に対応して、第１の系列に使用されてよい。
【０１９１】
ＮＩＤ２は、１９１２に示されるように、０、１、２に設定されることがある。ｍ０は０から３２に設定されてよく、および／またはｍ１は０から１１に設定されてよい。オフセットの場合、ｍ０＝ｍ０＋オフセットであり、オフセットはｎ１＋１であってよい。（１０５６のセルＩＤが与えられると、）３２のシフトが第１の系列に使用されることがあり、１２のシフト（たとえば、異なるシフト）が第２の系列に使用されることがある。たとえば、１０５６のセルＩＤが、ＳＳＳ（たとえば、ＳＳＳだけ）を使用して示されることがある。系列内の１２のシフトおよび系列内の３６のシフトは、１０５６のセルＩＤ（たとえば、全部で１０５６の一意のセルＩＤ）を示すことがある。
【０１９２】
本明細書において提供されるように、ｎ１は、ｍ１に等しくてもよいし、ｍ１の関数であってもよいし、ｍ１および１つまたは複数の他のパラメータの関数であってもよい。循環シフト（たとえば、巡回シフト）値ｎ１およびｍ０は、ＮＲ−ＰＳＳによって搬送されるセルＩＤ（たとえば、ＮＩＤ２＝０，１，２）および／またはＮＲ−ＳＳＳによって搬送されるセルＩＤ（たとえば、ＮＩＤ１＝０，１，…，３３５）によって決定される（たとえば、共同で決定される）ことがある。たとえば、図１９に示されるように、循環シフト値のうちの１つまたは複数は、ＳＳＳ系列の無相関によって決定されることがある。セルＩＤは、
【０１９３】
【数１２】
2020511029.tif 000016
【０１９４】
によって与えられることができ、ここで、Ｑは、スケーリングファクタであってよい。Ｑの値は１に等しくてよく、もしくはＱの値は１よりも大きくてよく、たとえば、Ｑ＝１もしくはＱ＝５であり、および／またはｍ０＝（ＮＩＤ１  ｍｏｄ  １１２）＋オフセットである。オフセットは、ゼロであってよい。たとえば、オフセットの値が使用されないことがある。オフセットは、非ゼロ値であってよい。たとえば、オフセットは、固定値であってもよいし、１つまたは複数のパラメータに依存してもよい（たとえば、オフセットはｎ１＋１であってもよい）。
【０１９５】
ＮＩＤ２、ｍ０、および／またはｍ１は、１つまたは複数の組合せに設定されることがあり、たとえば、この組合せは、あらかじめ定義されてもよいし、および／または受信機に知られてもよい。
【０１９６】
ｎ１および／またはｍ０のための１つまたは複数の特徴（たとえば、関数）が使用されてよい。
【０１９７】
同期信号（ＳＳ）ブロックのための疑似的に同じ場所に設置される（ＱＣＬ、またはＱＣＬされた）インジケーションが使用されてよい。例示的な、ＳＳブロックのための疑似的に同じ場所に設置される（ＱＣＬ）インジケーションが図２０に示されている。
【０１９８】
ＷＴＲＵは、ＳＳブロックインデックスまたは時間インデックス（たとえば、同じＳＳブロックインデックスまたは時間インデックス）をもつＳＳブロックがＱＣＬできることを決定する（たとえば、仮定する）ことができる。たとえば、ＷＴＲＵは、ＳＳバーストセットにわたる同じＳＳブロックインデックスまたは時間インデックスのＳＳブロックがＱＣＬできることを決定する（たとえば、仮定する）ことができる。ｇＮＢは、決定（たとえば、仮定）がいつ保持できないかを示す（たとえば、ＷＴＲＵに示す）ことができる。たとえば、ｇＮＢは、同じＳＳブロックインデックスまたは時間インデックスを有するＳＳブロックがＱＣＬされないことがあることを示す（たとえば、ＷＴＲＵに示す）フラグを含むことができる。フラグは、ＰＢＣＨペイロード、残りの最小システム情報（ＲＭＳＩ）、および／または他のシステム情報（ＯＳＩ）内に含まれることがある。フラグは、ＱＣＬされないことがある同じＳＳブロックインデックスまたは時間インデックスのＳＳブロック（たとえば、すべてのＳＳブロック）を示すことができる。１つまたは複数のフラグが使用されてよい。たとえば、（たとえば、各）ＳＳブロックおよび／またはＳＳブロックグループのための（たとえば、各）フラグが、ＱＣＬできるＳＳブロック（たとえば、同じＳＳブロック）インデックスまたは時間インデックスの個々のＳＳブロックを示すために使用できる場合、１つまたは複数のフラグが使用されてよい。１つまたは複数のフラグは、たとえば、個々のＳＳブロックグループがＱＣＬできることを示すために、ＳＳブロックグループに使用されることがある。
【０１９９】
ＷＴＲＵは、異なるＳＳブロックインデックスまたは時間インデックスをもつＳＳブロックがＱＣＬされることを決定（たとえば、仮定）しないことがある。ｇＮＢは、たとえば、異なるＳＳブロックインデックスをもつＳＳブロックがＱＣＬできるかどうかをＷＴＲＵに示すことができる。ｇＮＢは、以下の様式のうちの１つまたは複数を使用して、異なるＳＳブロックインデックスまたは時間インデックスをもつＳＳブロックのためのＱＣＬを示すことができる。たとえば、ｇＮＢは、繰り返しファクタ（たとえば、単一繰り返しファクタ）、複数の繰り返しファクタ、および／またはトグルビットマップを使用してよい。
【０２００】
ｇＮＢは、たとえば、繰り返しファクタＱを使用して、ＳＳブロックのためのＱＣＬを示すことができる。ＷＴＲＵは、たとえば、ＷＴＲＵがインジケーションを受信するとき、Ｑ  ＳＳブロックがＱＣＬされることを決定する（たとえば、仮定する）ことができる。Ｑ  ＳＳブロックは、連続的であってよく、および／または１つもしくは複数のあらかじめ定義されたパターンに基づいてよい。Ｑ  ＳＳブロックが構成できる。
【０２０１】
ｇＮＢは、１つまたは複数の繰り返しファクタを使用することができる。たとえば、ｇＮＢは、繰り返しファクタＱ１、Ｑ２などを使用することができる。ｇＮＢは、繰り返しファクタを使用して、ＳＳブロックのためのＱＣＬを示すことができる。ＷＴＲＵは、ＷＴＲＵがインジケーションを受信するとき、Ｑ１  ＳＳブロック、Ｑ２  ＳＳブロックなどがＱＣＬできることを仮定することができる。Ｑ１，Ｑ２，…ＳＳブロックは、連続的であってよく、および／または１つもしくは複数のあらかじめ定義されたパターンに基づいてよい。Ｑ１，Ｑ２，…ＳＳブロックが構成されてよい。たとえば、ＷＴＲＵは、インデックス＃０からＱ１−１をもつＳＳブロックがＱＣＬできることを仮定することができる。ＷＴＲＵは、インデックス＃Ｑ１からＱ１＋Ｑ２−１をもつＳＳブロックがＱＣＬできることを仮定することができる。
【０２０２】
ｇＮＢは、たとえば、トグルビットマップを使用して、ＳＳブロックのためのＱＣＬを示すことができる。ＷＴＲＵは、ビット値（たとえば、同じビット値）をもつＳＳブロックがＱＣＬできることを決定する（たとえば、仮定する）ことができる。たとえば、ＷＴＲＵは、ＷＴＲＵがＱＣＬインジケーションを受信するとき、同じビット値をもつＳＳブロックがＱＣＬできることを決定する（たとえば、仮定する）ことができる。ＷＴＲＵは、インデックス＃０および１をもつＳＳブロックがＱＣＬできることを決定する（たとえば、仮定する）ことができる。ＷＴＲＵは、インデックス＃２、３、および４をもつＳＳブロックがＱＣＬできることを決定する（たとえば、仮定する）ことができる。ＷＴＲＵは、インデックス＃５および６をもつＳＳブロックがＱＣＬできることを決定する（たとえば、仮定する）ことができる。例示的な、ＳＳブロックのためのＱＣＬインジケーションが図２１に示されている。
【０２０３】
ＱＣＬは、空間的パラメータ、平均利得パラメータ、遅延パラメータ、および／またはドップラーパラメータと関連づけされることがある。
【０２０４】
ＱＣＬインジケーションは、最大ＳＳブロック、ＳＳブロック候補、ＳＳブロック公称位置、および／または送信される（たとえば、実際に送信される）ＳＳブロックに使用されることがある。
【０２０５】
レートマッチングインジケーションが使用されることがある。
【０２０６】
送信される（たとえば、実際に送信される）ＳＳブロックに対して、ビットマップを使用するレートマッチングインジケーションが利用されることがある。たとえば、ビットマップを使用するレートマッチングインジケーションが、ＷＴＲＵがＰＤＳＣＨおよび／またはＰＤＣＣＨ受信および／または検出のためにレートマッチングを実行することを可能にするために利用されることがある。レートマッチングインジケーションは、ＷＴＲＵ固有であってよい。示される送信される（たとえば、実際に送信される）ＳＳブロックは、ＷＴＲＵ固有であってよい。たとえば、送信される（たとえば、実際に送信される）ＳＳブロックのフルセットまたはサブセットを伝えるレートマッチングインジケーションが、ＰＤＳＣＨおよび／またはＰＤＣＣＨ受信のためのレートマッチングを実行するために、ＷＴＲＵに示されてよい。送信される（たとえば、実際に送信される）ＳＳブロックのフルセットまたはサブセットを伝えるレートマッチングインジケーションが、ＰＤＳＣＨおよび／またはＰＤＣＣＨ受信のためのレートマッチングを実行するために、ＷＴＲＵに示されてよい。送信される（たとえば、実際に送信される）ＳＳブロックの別のフルセットまたはサブセットを伝える別のレートマッチングインジケーションが、ＰＤＳＣＨおよび／またはＰＤＣＣＨ受信のためのレートマッチングを実行するために、別のＷＴＲＵに示されてよい。レートマッチングインジケーションは、ＷＴＲＵ固有信号内で搬送されてよい。たとえば、レートマッチングインジケーションは、ＲＲＣシグナリング内で搬送されてよい。レートマッチングインジケーションは、ダウン制御情報（ＤＣＩ）、ＮＲ−ＰＤＣＣＨ、ＭＡＣ、および／またはＭＡＣ制御要素（ＣＥ）シグナリングなどの、ＷＴＲＵ固有Ｌ１／２制御チャネル内で搬送されてよい。たとえば、（たとえば、ＳＳブロック、ビーム、およびＰＤＳＣＨまたはＰＤＣＣＨによる）レートマッチングの動的性質を取り扱うために、レートマッチングインジケーションは、ダウン制御情報（ＤＣＩ）、ＮＲ−ＰＤＣＣＨ、ＭＡＣ、および／またはＭＡＣ制御要素（ＣＥ）シグナリングなどの、ＷＴＲＵ固有Ｌ１／２制御チャネル内で搬送されてよい。
【０２０７】
レートマッチングインジケーション（たとえば、２段階レートマッチングインジケーション）が使用されることがある。たとえば、レートマッチングは、第１の段階および／または第２の段階を使用することがある。第１の段階は、送信される（たとえば、実際に送信される）ＳＳブロックを示すことができる。第２の段階は、レートマッチングのためのＳＳブロックを示すことができる。
【０２０８】
レートマッチングは、送信される（たとえば、実際に送信される）ＳＳブロックを使用して実行できる。たとえば、レートマッチングは、１つまたは複数の（たとえば、すべての）実際に送信されたＳＳブロックを使用して実行されることがある。粗いレートマッチングが、１つまたは複数の（たとえば、すべての）ＷＴＲＵに対して実行されることがある。たとえば、第１の段階は、１つまたは複数の（たとえば、すべての）ＷＴＲＵに対する粗いレートマッチングであることがある。レートマッチングは、ＷＴＲＵのためのレートマッチングに影響を与えることがあるＷＴＲＵ固有ＳＳブロックを使用して拡張できる。送信される（たとえば、実際に送信される）ＳＳブロックのサブセット（たとえば、サブセットのみ）が、ＷＴＲＵのためのレートマッチングに必要とされる場合、インジケーションは、送信される（たとえば、実際に送信される）ＳＳブロックのサブセットを含んでよい（たとえば、これのみを含んでよい）。インジケーションは、送信される（たとえば、実際に送信される）ＳＳブロックのサブセットを含む（たとえば、これのみを含む）ことがあり、送信される（たとえば、実際に送信される）ＳＳブロックのセット（たとえば、フルセット）を含まないことがある。たとえば、インジケーションは、実際に送信されたＳＳブロックのサブセットを含む（たとえば、これのみを含む）ことがあり、第２の段階において実際に送信されたＳＳブロックのセット（たとえば、フルセット）を含まないことがある。第２の段階は、ＷＴＲＵのための細かいレートマッチングであってよい。レートマッチングは、１つの段階を使用して実行されることがある。たとえば、レートマッチングは、段階１のみまたは段階２のみを使用して実行されることがある。レートマッチングは、２つの段階を使用して実行されることがある。たとえば、レートマッチングは、段階１と段階２の組合せを使用して実行されることがある。
【０２０９】
リソース（たとえば、示されるリソース）は、送信される（たとえば、実際に送信される）ＳＳブロックのフルセットまたはサブセットのために予約されることがある。たとえば、示されるリソース（たとえば、時間リソースおよび／または周波数リソース）は、送信される（たとえば、実際に送信される）ＳＳブロックのフルセットまたはサブセットのために予約されることがある。データチャネル（たとえば、ＰＤＳＣＨ）および／または制御チャネル（たとえば、ＰＤＣＣＨ）がレートマッチングされることがある。たとえば、データチャネル（たとえば、ＰＤＳＣＨ）および／または制御チャネル（たとえば、ＰＤＣＣＨ）は、示される送信される（たとえば、実際に送信される）ＳＳブロックに関してレートマッチングされることがある。データチャネル（たとえば、ＰＤＳＣＨ）および／または制御チャネル（たとえば、ＰＤＣＣＨ）は、送信される（たとえば、実際に送信される）ＳＳブロックのフルセットまたはサブセットのためにレートマッチングされることがある。
【０２１０】
実際に送信されたＳＳブロック（たとえば、フルセットまたはサブセット）は、以下のうちの１つまたは複数を使用して示されることがある。たとえば、送信される（たとえば、実際に送信される）ＳＳブロック（たとえば、フルセットまたはサブセット）は、グループ−ビットマップを使用して示されることがある。グループまたはＳＳ／ＰＢＣＨグループは、連続的なＳＳ／ＰＢＣＨブロックであってよい。グループ−ビットマップは、どのグループまたはＳＳ／ＰＢＣＨグループが送信（たとえば、実際に送信）できるかを示すことができる。たとえば、示される送信されたグループまたはＳＳ／ＰＢＣＨグループ内の１つまたは複数の（たとえば、すべての）ＳＳ／ＰＢＣＨブロックが、送信される（たとえば、実際に送信される）ことがある。
【０２１１】
送信される（たとえば、実際に送信される）ＳＳブロック（たとえば、フルセットまたはサブセット）は、グループ−ビットマップを使用して、たとえば、グループ内のビットマップとともに、示されることがある。グループまたはＳＳ／ＰＢＣＨグループは、連続的なＳＳブロックまたはＳＳ／ＰＢＣＨブロックとして定義されることがある。グループまたはＳＳ／ＰＢＣＨグループ内のビットマップは、どのＳＳ／ＰＢＣＨブロックが送信される（たとえば、実際に送信される）かを示すことができる。たとえば、グループまたはＳＳ／ＰＢＣＨグループ内のビットマップは、グループまたはＳＳ／ＰＢＣＨグループ内のどのＳＳ／ＰＢＣＨブロックが送信される（たとえば、実際に送信される）かを示すことができる。（たとえば、各）グループまたはＳＳ／ＰＢＣＨグループは、ＳＳ／ＰＢＣＨブロック送信のパターン（たとえば、同じパターンまたは異なるパターン）を有することがある。グループ−ビットマップは、どのグループまたはＳＳ／ＰＢＣＨグループが送信（たとえば、実際に送信）されるかを示すことができる。
【０２１２】
送信される（たとえば、実際に送信される）ＳＳブロック（たとえば、フルセットまたはサブセット）は、グループ内の送信される（たとえば、実際に送信される）ＳＳ／ＰＢＣＨブロックの数とともにグループ−ビットマップを使用して、示されることがある。送信される（たとえば、実際に送信される）ＳＳ／ＰＢＣＨブロックは、グループまたはＳＳ／ＰＢＣＨグループ内のＳＳ／ＰＢＣＨブロックの開始インデックス（たとえば、固定された開始インデックスまたは固定されていない開始インデックス）を有することがある。グループまたはＳＳ／ＰＢＣＨグループは、連続的なＳＳ／ＰＢＣＨブロックとして定義されてよい。グループ−ビットマップは、どのグループまたはＳＳ／ＰＢＣＨグループが送信（たとえば、実際に送信）されるかを示すために使用されることがある。グループ内のＳＳ／ＰＢＣＨブロックは、連続的（たとえば、論理的に連続的）であってよい。送信される（たとえば、実際に送信される）ＳＳ／ＰＢＣＨブロックは、実際に送信される連続的な（たとえば、論理的に連続的な）ＳＳ／ＰＢＣＨブロックの数を示すことがある。たとえば、送信される（たとえば、実際に送信される）ＳＳ／ＰＢＣＨブロックの数は、第１のインデックスから始まる、送信される（たとえば、実際に送信される）連続的な（たとえば、論理的に連続的な）ＳＳ／ＰＢＣＨブロックの数を示すことがある。第１のインデックスは、固定された開始インデックスであってよい。第１のインデックスは、固定された開始インデックスでなくてもよい。第１のインデックスが固定された開始インデックスである場合、インジケーション（たとえば、追加のインジケーション）が必要とされないことがある。第１のインデックスが固定された開始インデックスでない場合、インジケーション（たとえば、追加のインジケーション）が必要とされることがある。たとえば、追加のインジケーションは、送信される（たとえば、実際に送信される）ＳＳ／ＰＢＣＨブロックのインデックス（たとえば、第１のインデックスまたは開始インデックス）を示すために必要とされることがある。グループ内の送信される（たとえば、実際に送信される）ＳＳ／ＰＢＣＨブロックの数は、１つまたは複数の（たとえば、すべての）送信されたグループまたはＳＳ／ＰＢＣＨグループに等しく（たとえば、一般に）適用されることがある。グループ内の送信される（たとえば、実際に送信される）ＳＳ／ＰＢＣＨブロックの数は、１つまたは複数の（たとえば、すべての）送信されたグループまたはＳＳ／ＰＢＣＨグループに等しく（たとえば、一般に）適用されないこともある。
【０２１３】
送信される（たとえば、実際に送信される）ＳＳブロック（たとえば、フルセットまたはサブセット）は、実際に送信されたグループまたはＳＳ／ＰＢＣＨグループの数とともに、グループ内のビットマップを使用して、示されることがある。送信される（たとえば、実際に送信される）グループまたはＳＳ／ＰＢＣＨグループは、グループの固定された開始インデックスを有してもよいし、グループの固定されていない開始インデックスを有してもよい。グループまたはＳＳ／ＰＢＣＨグループは、連続的なＳＳ／ＰＢＣＨブロックとして定義されてよい。グループまたはＳＳ／ＰＢＣＨグループ内のビットマップは、グループまたはＳＳ／ＰＢＣＨグループ内のどのＳＳ／ＰＢＣＨブロックが送信される（たとえば、実際に送信される）かを示すことができる。（たとえば、各）グループまたはＳＳ／ＰＢＣＨグループは、ＳＳ／ＰＢＣＨブロック送信の同じパターンを有することがある。（たとえば、各）グループまたはＳＳ／ＰＢＣＨグループは、ＳＳ／ＰＢＣＨブロック送信の異なるパターンを有することもある。グループ内のビットマップは、１つまたは複数の（たとえば、すべての）送信されるグループまたはＳＳ／ＰＢＣＨグループに等しく（たとえば、一般に）適用されてもよいし、されなくてもよい。送信される（たとえば、実際に送信される）グループまたはＳＳ／ＰＢＣＨグループの数は、送信できる（たとえば、実際に送信できる）連続的なグループまたはＳＳ／ＰＢＣＨグループの数を示すことがある。たとえば、送信される（たとえば、実際に送信される）グループまたはＳＳ／ＰＢＣＨグループは、第１のグループまたはグループの固定された開始インデックスから始まる、送信できる（たとえば、実際に送信できる）連続的なグループまたはＳＳ／ＰＢＣＨグループの数を示すことがある。グループの開始インデックスまたは第１のグループが固定されていない場合、インジケーションは、ＳＳ／ＰＢＣＨグループのためのグループの開始インデックスまたは第１のグループを示すために使用されてよい。
【０２１４】
送信される（たとえば、実際に送信される）ＳＳブロック（たとえば、フルセットまたはサブセット）は、送信される（たとえば、実際に送信される）ＳＳ／ＰＢＣＨブロックの開始インデックスおよび／または１つもしくは複数の（たとえば、２つの）連続的なＳＳ／ＰＢＣＨブロック間のスペース（たとえば、ギャップ）とともに、送信される（たとえば、実際に送信される）ＳＳ／ＰＢＣＨブロックの数を使用して、示されることがある。スペース（たとえば、ギャップ）は、固定されてよい。送信される（たとえば、実際に送信される）ＳＳ／ＰＢＣＨブロックの数および／または送信される（たとえば、実際に送信される）ＳＳ／ＰＢＣＨブロックの開始インデックスが、示されることがある。スペース（たとえば、ギャップ）は、示されてもよい。
【０２１５】
送信される（たとえば、実際に送信される）ＳＳブロックは、より高いおよび／またはより低い周波数の場合、残りの最小システム情報（ＲＭＳＩ）内で示されることがある。送信される（たとえば、実際に送信される）ＳＳブロックは、ＲＲＣシグナリングおよび／またはＬ１／２制御シグナリング内で示されることもある。送信される（たとえば、実際に送信される）ＳＳブロックは、より高いおよび／またはより低い周波数の場合、ＲＲＣシグナリングおよび／またはＬ１／２制御シグナリング内で示されることもある。
【０２１６】
本明細書において説明される特徴および要素は、ＬＴＥ、ＬＴＥ−Ａ、Ｎｅｗ  Ｒａｄｉｏ（ＮＲ）、および／または５Ｇ固有プロトコルを考慮しているが、本明細書において説明される特徴および要素は、Ｒａｄｉｏ（ＮＲ）、および／または５Ｇ固有プロトコルＬＴＥ、ＬＴＥ−Ａ、Ｎｅｗに制限されず、他のワイヤレスシステムにも適用可能であってよいことは理解されるべきである。
【０２１７】
特徴および要素が、上記で特定の組合せにおいて説明されているが、当業者は、各特徴または要素が単独で、または他の特徴および要素との任意の組合せにおいて、使用可能であることを諒解するであろう。加えて、本明細書において説明される方法は、コンピュータまたはプロセッサによる実行のためにコンピュータ可読媒体内に組み込まれたコンピュータプログラム、ソフトウェア、またはファームウェアにおいて実施されてよい。コンピュータ可読媒体の例は、電子信号（ワイヤード接続またはワイヤレス接続上で送信される）およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、ならびにＣＤ−ＲＯＭディスクおよびデジタル多用途ディスク（ＤＶＤ）などの光媒体を含むが、これらに限定されない。ソフトウェアと関連するプロセッサは、ＷＴＲＵ、ＵＥ、端末、基地局、ＲＮＣ、または任意のホストコンピュータにおいて使用するための無線周波数トランシーバを実施するために使用することができる。
【図１Ａ】
2020511029.tif 000017
【図１Ｂ】
2020511029.tif 000018
【図１Ｃ】
2020511029.tif 000019
【図１Ｄ】
2020511029.tif 000020
【図２】
2020511029.tif 000021
【図３】
2020511029.tif 000022
【図４】
2020511029.tif 000023
【図５】
2020511029.tif 000024
【図６】
2020511029.tif 000025
【図７】
2020511029.tif 000026
【図８】
2020511029.tif 000027
【図９】
2020511029.tif 000028
【図１０】
2020511029.tif 000029
【図１１】
2020511029.tif 000030
【図１２】
2020511029.tif 000031
【図１３】
2020511029.tif 000032
【図１３Ａ】
2020511029.tif 000033
【図１３Ｂ】
2020511029.tif 000034
【図１４】
2020511029.tif 000035
【図１５】
2020511029.tif 000036
【図１６】
2020511029.tif 000037
【図１７】
2020511029.tif 000038
【図１８】
2020511029.tif 000039
【図１９】
2020511029.tif 000040
【図２０】
2020511029.tif 000041
【図２１】
2020511029.tif 000042
【国際調査報告】
2020511029.tif 000043
2020511029.tif 000044
2020511029.tif 000045